(57)【要約】【課題】  運用形態を柔軟に変更可能な写真撮影プリント装置を実現する。【解決手段】  写真撮影プリント装置１ａは、利用者を撮影することにより撮影画像データを生成する撮影用カメラ１２と、撮影画像データに基づいて撮影画像を表示するとともに、表示した画像に対する利用者による画像編集入力を受け付ける落書き編集ユニット１５と、撮影用カメラ１２に対して利用者の撮影及び撮影画像データの生成を実行させる撮影処理と、落書き編集ユニット１５に対して撮影画像の表示及び画像編集入力の受付を実行させる画像編集処理とを実行する制御装置２３とを備える。制御装置２３は、撮影処理の終了後に画像編集処理を実行する間は次の利用者に対する撮影処理を禁止する第１モードと、撮影処理の終了後に画像編集処理を実行しつつ次の利用者に対する撮影処理を許容する第２モードとを切り替えて実行可能である。【選択図】  図１
2005122058.tif 000002
【特許請求の範囲】
【請求項１】
利用者を撮影するとともに、利用者による画像編集入力に基づいて撮影画像に対する画像編集を行う画像編集機能付き写真撮影装置において、
利用者を撮影することにより撮影画像データを生成する撮影装置と、
撮影画像データに基づいて撮影画像を表示するとともに、表示した画像に対する利用者による画像編集入力を受け付ける画像編集装置と、
前記撮影装置に対して利用者の撮影及び撮影画像データの生成を実行させる撮影処理と、前記画像編集装置に対して撮影画像の表示及び画像編集入力の受付を実行させる画像編集処理とを実行する制御装置とを備え、
前記制御装置は、前記撮影処理の終了後に前記画像編集処理を実行する間は次の利用者に対する撮影処理を禁止する第１モードと、前記撮影処理の終了後に前記画像編集処理を実行しつつ次の利用者に対する撮影処理を許容する第２モードとを切り替えて実行可能であることを特徴とする画像編集機能付き写真撮影装置。
【請求項２】
前記撮影装置に面して設けられ、撮影のために利用者が内部に入る撮影ブースをさらに備え、
前記画像編集装置は、撮影画像を表示する表示部と、画像編集入力を受け付ける入力部とを備えるとともに、前記表示部及び入力部が前記撮影ブースの内部へ向かう第１配置と、前記表示部及び入力部が前記撮影ブースの外部へ向かう第２配置との間で配置の切り替えが可能であることを特徴とする請求項１に記載の画像編集機能付き写真撮影装置。
【請求項３】
前記画像編集装置が第１配置と第２配置との何れの配置をとるかを検知する配置検知部をさらに備え、
前記制御装置は、前記配置検知部の検知結果に基づき、前記画像編集装置が第１配置をとる場合には第１モードを実行し、前記画像編集装置が第２配置をとる場合には第２モードを実行することを特徴とする請求項２に記載の画像編集機能付き写真撮影装置。
【請求項４】
前記制御装置は、第１モードと第２モードとの切り替えスケジュールを記憶する記憶手段と、この切り替えスケジュールに基づいて切り替えタイミングの経過を認識する切替管理手段と、切り替えタイミングの経過を通知する通知手段とを備えることを特徴とする請求項３に記載の画像編集機能付き写真撮影装置。
【請求項５】
前記画像編集装置の第１配置と第２配置との切り替えを行う駆動装置をさらに備え、
前記制御装置は、第１モードから第２モードへ、又は第２モードから第１モードへの切り替えに対応して、前記駆動装置を制御し、前記画像編集装置を第１配置から第２配置へ、又は第２配置から第１配置へそれぞれ切り替えることを特徴とする請求項２に記載の画像編集機能付き写真撮影装置。
【請求項６】
前記制御装置は、第１モードと第２モードとの切り替えスケジュールを記憶する記憶手段と、この切り替えスケジュールに基づいて第１モードと第２モードとを切り替えるモード切替手段を備えることを特徴とする請求項５に記載の画像編集機能付き写真撮影装置。
【請求項７】
第１モードと第２モードとの切り替えタイミングを指定するための操作者による操作を受け付けるタイミング指定部をさらに備え、
前記制御装置は、前記タイミング指定部に対する操作入力に基づいて第１モードと第２モードとを切り替えることを特徴とする請求項５に記載の画像編集機能付き写真撮影装置。
【請求項８】
前記制御装置は、当該画像編集機能付き写真撮影装置の利用頻度を認識し、その認識結果に基づいて第１モードと第２モードとを切り替えるモード切替手段を備えることを特徴とする請求項５に記載の画像編集機能付き写真撮影装置。
【請求項９】
前記画像編集装置が第２配置をとる場合の前記表示部及び入力部に面し、かつ、当該画像編集機能付き写真撮影装置の本体に格納可能に設けられた画像編集ブースをさらに備えることを特徴とする請求項２に記載の画像編集機能付き写真撮影装置。
【請求項１０】
前記撮影装置に面して設けられ、撮影のために利用者が内部に入る撮影ブースをさらに備え、
前記画像編集装置は、撮影画像を表示する表示部と、画像編集入力を受け付ける入力部とを少なくとも２組備え、１組の表示部及び入力部は前記撮影ブースの内部へ向かって配置され、他の１組の表示部及び入力部は前記撮影ブースの外部へ向かって配置されていることを特徴とする請求項１に記載の画像編集機能付き写真撮影装置。
【請求項１１】
利用者を撮影するとともに、利用者による画像編集入力に基づいて撮影画像に対する画像編集を行う画像編集機能付き写真撮影装置において、
利用者を撮影することにより撮影画像データを生成する撮影装置と、
前記撮影装置に面して設けられ、撮影のために利用者が内部に入る撮影ブースと、
撮影画像データに基づく撮影画像を表示する表示部と、表示した画像に対する利用者による画像編集入力を受け付ける入力部とを有する画像編集装置とを備え、
前記画像編集装置は、前記表示部及び入力部が前記撮影ブースの内部へ向かう第１配置と、前記表示部及び入力部が前記撮影ブースの外部へ向かう第２配置との間で配置の切り替えが可能であることを特徴とする画像編集機能付き写真撮影装置。
【請求項１２】
前記撮影装置及び画像編集装置が組み込まれた筐体をさらに備え、
前記画像編集装置は、前記筐体に対して回動することにより第１配置と第２配置との間の切り替えができるように前記筐体に取り付けられていることを特徴とする請求項１１に記載の画像編集機能付き写真撮影装置。
【請求項１３】
前記画像編集装置を前記筐体に対して回動させる駆動装置をさらに備えることを特徴とする請求項１１又は１２に記載の画像編集機能付き写真撮影装置。
【請求項１４】
利用者を撮影するとともに、利用者による画像編集入力に基づいて撮影画像に対する画像編集を行う画像編集機能付き写真撮影装置の制御プログラムにおいて、
利用者の撮影及び撮影画像データの生成を撮影装置に対して実行させる撮影処理手段と、
撮影画像の表示及び画像編集入力の受付を画像編集装置に対して実行させる画像編集処理手段と、
前記撮影処理の終了後に前記画像編集処理を実行する間は次の利用者に対する撮影処理を禁止する第１モードと、前記撮影処理の終了後に前記画像編集処理を実行しつつ次の利用者に対する撮影処理を許容する第２モードとを切り替えて実行するモード切替手段として、
コンピュータを動作させることを特徴とする画像編集機能付き写真撮影装置の制御プログラム。
【請求項１５】
請求項１４に記載の画像編集機能付き写真撮影装置の制御プログラムを記録したコンピュータ読み取り可能な記録媒体。
【請求項１６】
利用者を撮影するとともに、利用者による画像編集入力に基づいて撮影画像に対する画像編集を行う画像編集機能付き写真撮影装置の制御方法において、
利用者の撮影及び撮影画像データの生成を撮影装置に対して実行させる撮影処理の終了後に、撮影画像の表示及び画像編集入力の受付を画像編集装置に対して実行させる画像編集処理を実行する間は、次の利用者に対する前記撮影処理を禁止する第１モードと、
前記撮影処理の終了後に前記画像編集処理を実行しつつ次の利用者に対する撮影処理を許容する第２モードとを切り替えることを特徴とする画像編集機能付き写真撮影装置の制御方法。
【発明の詳細な説明】
【技術分野】
【０００１】
本発明は、利用者を撮影するとともに、利用者による画像編集入力に基づいて撮影画像に対する画像編集を行う画像編集機能付き写真撮影装置、その制御プログラム、その制御プログラムを記録したコンピュータ読み取り可能な記録媒体、及び画像編集機能付き写真撮影装置の制御方法に関するものである。
【背景技術】
【０００２】
近年、ゲームセンタ等において、写真を撮影してシールプリント等にする写真撮影プリント装置が数多く設置されている。このような写真撮影プリント装置としては、一般に、特許文献１の図９に示されているようなものが知られている（特許文献１の他に、特許文献２などにも開示されている）。この写真撮影プリント装置は、各種の装置が設けられた筐体と、筐体の一方の側面に設けられた撮影用ブースとを備えている。
【０００３】
この写真撮影プリント装置の筐体には、利用者を撮影するカメラと、カメラから画像データを受信して画像合成等の処理を行うコンピュータ装置と、コンピュータ装置から送信された合成画像等の画像信号を受信して画像を表示するディスプレイと、コンピュータ装置から送信された画像データを受信し、この画像をシールシートに印刷するプリンタと、ディスプレイに対して入力するためのタッチペンとを備えている。
【０００４】
この写真撮影プリント装置では、利用者がタッチペンを用いて文字や図形等を描いて入力することができ、入力された文字や図形等の画像データがカメラで撮影された利用者の撮影画像と合成されてディスプレイに表示され、プリンタによってシールシートに印刷されるようになっている。
【０００５】
この写真撮影プリント装置では、撮影用ブースで撮影を行ったのち、その場で手書き画像の入力も行われる。しかも、プリンタから排出される写真のプリントされたシールシートも撮影用ブース内に向かって送出される。このため、一旦利用者が撮影用ブースに入ると、撮影を行って手書き画像を入力し、印刷が終了するまで撮影用ブースを占領することになる。したがって、後の利用者は、先の使用者が送出された写真のプリントされたシールシートを手にしてその場からいなくなるまで、撮影を開始することができない、という不都合があった。この不都合は、利用者にとっては不必要に待たされるという問題を招来し、写真撮影プリント装置を設置する店舗にとっては顧客の回転率が悪くなるという問題を招来する。
【０００６】
これに対し、顧客の回転率を向上させることができる、例えば特許文献１の図１に示されているような写真撮影プリント装置も知られている（特許文献１の他に、特許文献３などにも開示されている）。この写真撮影プリント装置は、それぞれ各種の装置が設けられた第１及び第２筐体と、第１及び第２筐体それぞれの一方の側面に設けられた、第１及び第２ブースとを備えている。
【０００７】
第１筐体と第２筐体とは、隣接されて設けられており、第１ブースと第２ブースとも隣接されて設けられている。そして、第１ブースと第２ブースとは、それぞれカーテンで囲われてある程度独立した空間を形成するようになっている。
【０００８】
第１筐体は、利用者を撮影するカメラと、カメラで撮影された画像信号を受信して表示する第１ディスプレイとを備えている。一方、第２筐体は、カメラから画像データを受信して画像の固定や画像合成等の処理を行うコンピュータ装置と、撮影画像等を表示する第２ディスプレイと、コンピュータ装置から送信された画像データを受信し、この画像をシールシートに印刷するプリンタと、ディスプレイに対して入力するためのタッチペンとを備えている。
【０００９】
この写真撮影プリント装置においては、利用者が第１ディスプレイに見る画像は利用者の撮影像であり、第２ディスプレイに見る画像、及びプリンタから印刷される画像は、利用者の撮影像と、タッチペンによる手書き入力画像等とが合成されたものである。
【００１０】
この写真撮影プリント装置では、第１ブースで撮影を行った利用者は、第２ブースに移動して手書き画像の入力を行う。したがって、第１ブースにおける撮影と、第２ブースにおける手書き画像の入力とを、別々の利用者に対して同時に行うことができる。これにより、利用者にとっては不必要に待たされるという問題が解消され、写真撮影プリント装置を設置する店舗にとっては顧客の回転率が悪くなるという問題が解消される。
【００１１】
以上のように、写真撮影プリント装置には、撮影を行うブース（撮影ブース）と、手書き画像の入力（落書き）を行うブース（落書きブース）とを共用するタイプ（一重接客機）と、これらのブースを分離したタイプ（二重接客機）が存在する。一重接客機は比較的初期の写真撮影プリント装置に多く、二重接客機は接客回転率の向上を図るために本願出願人が最初に商品化したタイプである。
【特許文献１】特許第３４０１５２４号公報（公開日２００３年４月２８日）
【特許文献２】特開２０００−６９４０４号公報（公開日２０００年３月３日）
【特許文献３】特許第３３２４０３８号公報（公開日２００２年９月１７日）
【発明の開示】
【発明が解決しようとする課題】
【００１２】
しかしながら、上記の二重接客機においては、撮影ブースと落書きブースとを分離して配置するため、装置の設置占有面積が大きくなってしまう。したがって、二重接客機では、広い店舗では設置可能だが、狭い店舗では設置が困難であるという問題が生じる。
【００１３】
また、同一店舗内に着目してみても、一定期間（数ヶ月単位）ごとに新機種投入などの機器入れ換えにより店舗レイアウトの変更が行われており、設置占有面積に対して売上金額の少ない機器は、店舗の隅へ追いやられる、あるいは最悪の場合撤去される、という傾向にある。
【００１４】
このように、二重接客機については、装置の設置占有面積が大きいことに起因する種々の問題が生じる。
【００１５】
また、利用状況の変化を考慮した場合、二重接客機が一重接客機よりも優れているとは必ずしもいえない場合もある。
【００１６】
例えば、曜日別の利用者数に着目してみると、休日（土曜、日曜）は二重接客機の方が有利であるものの、平日（月曜〜金曜）は一重接客機の方が有利であるという傾向が見られる。すなわち、休日は、女子中学生や家族連れなど、とりあえずプレイしてみたいという新規利用者などが加わることにより、あらゆる客層が来店するため、混雑しやすい。このような状況においては、二重接客機の方が、複数組の利用者がそれぞれ撮影と落書きを同時並行で行なうことができ、回転率を高く維持し、売上金額を伸ばすことができるため、一重接客機よりも適している。これに対し、平日は、学校帰りの女子高生をはじめとする、じっくりと落書きを楽しみたいというリピーターが多く、また利用者数も少ない。このような状況においては、撮影のあと、ブースを移動することなくその場で落書きできる一重接客機の方が、利用者にとって便利であるため、二重接客機よりも適している。
【００１７】
また、時間帯別の利用者数に着目してみると、例えば平日を例にとると、他の時間帯よりも利用者数の多い午後４時から午後８時までの時間帯においては、上記のような理由により、二重接客機の方が一重接客機よりも適している。午後４時から午後８時までの時間帯の利用者が多いのは、学校帰りの女子高生の利用が集中するためである。午後８時以降は法律などにより１８歳未満の入店が段階的に規制されているため、利用者数は減少することになる。他の時間帯においては、利用者数が少ないため、一重接客機の方が二重接客機よりも適している。
【００１８】
このように、一重接客機及び二重接客機は、利用状況に応じた互いに異なる利点を有している。そこで、一重接客機の利点及び二重接客機の利点の両方を、１台の写真撮影プリント装置において享受できることが望まれる。
【００１９】
本発明は、上記の課題に鑑みてなされたものであり、その目的は、写真撮影プリント装置などの画像編集機能付き写真撮影装置において、運用形態を柔軟に変更可能とすることを目的としている。
【課題を解決するための手段】
【００２０】
本発明に係る画像編集機能付き写真撮影装置は、利用者を撮影するとともに、利用者による画像編集入力に基づいて撮影画像に対する画像編集を行う画像編集機能付き写真撮影装置であって、上記の課題を解決するために、利用者を撮影することにより撮影画像データを生成する撮影装置と、撮影画像データに基づいて撮影画像を表示するとともに、表示した画像に対する利用者による画像編集入力を受け付ける画像編集装置と、前記撮影装置に対して利用者の撮影及び撮影画像データの生成を実行させる撮影処理と、前記画像編集装置に対して撮影画像の表示及び画像編集入力の受付を実行させる画像編集処理とを実行する制御装置とを備え、前記制御装置は、前記撮影処理の終了後に前記画像編集処理を実行する間は次の利用者に対する撮影処理を禁止する第１モードと、前記撮影処理の終了後に前記画像編集処理を実行しつつ次の利用者に対する撮影処理を許容する第２モードとを切り替えて実行可能であることを特徴としている。
【００２１】
本発明に係る画像編集機能付き写真撮影装置は、上記の写真撮影装置において、前記撮影装置に面して設けられ、撮影のために利用者が内部に入る撮影ブースをさらに備え、前記画像編集装置は、撮影画像を表示する表示部と、画像編集入力を受け付ける入力部とを備えるとともに、前記表示部及び入力部が前記撮影ブースの内部へ向かう第１配置と、前記表示部及び入力部が前記撮影ブースの外部へ向かう第２配置との間で配置の切り替えが可能であってもよい。
【００２２】
本発明に係る画像編集機能付き写真撮影装置は、上記の写真撮影装置において、前記画像編集装置が第１配置と第２配置との何れの配置をとるかを検知する配置検知部をさらに備え、前記制御装置は、前記配置検知部の検知結果に基づき、前記画像編集装置が第１配置をとる場合には第１モードを実行し、前記画像編集装置が第２配置をとる場合には第２モードを実行するようになっていてもよい。
【００２３】
本発明に係る画像編集機能付き写真撮影装置は、上記の写真撮影装置において、前記制御装置は、第１モードと第２モードとの切り替えスケジュールを記憶する記憶手段と、この切り替えスケジュールに基づいて切り替えタイミングの経過を認識する切替管理手段と、切り替えタイミングの経過を通知する通知手段とを備えていてもよい。
【００２４】
本発明に係る画像編集機能付き写真撮影装置は、上記の写真撮影装置において、前記画像編集装置の第１配置と第２配置との切り替えを行う駆動装置をさらに備え、前記制御装置は、第１モードから第２モードへ、又は第２モードから第１モードへの切り替えに対応して、前記駆動装置を制御し、前記画像編集装置を第１配置から第２配置へ、又は第２配置から第１配置へそれぞれ切り替えるようになっていてもよい。
【００２５】
本発明に係る画像編集機能付き写真撮影装置は、上記駆動装置を備える写真撮影装置において、前記制御装置は、第１モードと第２モードとの切り替えスケジュールを記憶する記憶手段と、この切り替えスケジュールに基づいて第１モードと第２モードとを切り替えるモード切替手段を備えていてもよい。
【００２６】
本発明に係る画像編集機能付き写真撮影装置は、上記駆動装置を備える写真撮影装置において、第１モードと第２モードとの切り替えタイミングを指定するための操作者による操作を受け付けるタイミング指定部をさらに備え、前記制御装置は、前記タイミング指定部に対する操作入力に基づいて第１モードと第２モードとを切り替えるようになっていてもよい。
【００２７】
本発明に係る画像編集機能付き写真撮影装置は、上記駆動装置を備える写真撮影装置において、前記制御装置は、当該画像編集機能付き写真撮影装置の利用頻度を認識し、その認識結果に基づいて第１モードと第２モードとを切り替えるモード切替手段を備えていてもよい。
【００２８】
本発明に係る画像編集機能付き写真撮影装置は、上記の写真撮影装置において、前記画像編集装置が第２配置をとる場合の前記表示部及び入力部に面し、かつ、当該画像編集機能付き写真撮影装置の本体に格納可能に設けられた画像編集ブースをさらに備えていてもよい。
【００２９】
本発明に係る画像編集機能付き写真撮影装置は、上記の写真撮影装置において、前記撮影装置に面して設けられ、撮影のために利用者が内部に入る撮影ブースをさらに備え、前記画像編集装置は、撮影画像を表示する表示部と、画像編集入力を受け付ける入力部とを少なくとも２組備え、１組の表示部及び入力部は前記撮影ブースの内部へ向かって配置され、他の１組の表示部及び入力部は前記撮影ブースの外部へ向かって配置されていてもよい。
【００３０】
本発明に係る画像編集機能付き写真撮影装置は、利用者を撮影するとともに、利用者による画像編集入力に基づいて撮影画像に対する画像編集を行う画像編集機能付き写真撮影装置であって、上記の課題を解決するために、利用者を撮影することにより撮影画像データを生成する撮影装置と、前記撮影装置に面して設けられ、撮影のために利用者が内部に入る撮影ブースと、撮影画像データに基づく撮影画像を表示する表示部と、表示した画像に対する利用者による画像編集入力を受け付ける入力部とを有する画像編集装置とを備え、前記画像編集装置は、前記表示部及び入力部が前記撮影ブースの内部へ向かう第１配置と、前記表示部及び入力部が前記撮影ブースの外部へ向かう第２配置との間で配置の切り替えが可能であることを特徴としている。
【００３１】
本発明に係る画像編集機能付き写真撮影装置は、上記の写真撮影装置において、前記撮影装置及び画像編集装置が組み込まれた筐体をさらに備え、前記画像編集装置は、前記筐体に対して回動することにより第１配置と第２配置との間の切り替えができるように前記筐体に取り付けられていてもよい。
【００３２】
本発明に係る画像編集機能付き写真撮影装置は、上記の写真撮影装置において、前記画像編集装置を前記筐体に対して回動させる駆動装置をさらに備えていてもよい。
【００３３】
本発明に係る画像編集機能付き写真撮影装置の制御プログラムは、利用者を撮影するとともに、利用者による画像編集入力に基づいて撮影画像に対する画像編集を行う画像編集機能付き写真撮影装置の制御プログラムであって、上記の課題を解決するために、利用者の撮影及び撮影画像データの生成を撮影装置に対して実行させる撮影処理手段と、撮影画像の表示及び画像編集入力の受付を画像編集装置に対して実行させる画像編集処理手段と、前記撮影処理の終了後に前記画像編集処理を実行する間は次の利用者に対する撮影処理を禁止する第１モードと、前記撮影処理の終了後に前記画像編集処理を実行しつつ次の利用者に対する撮影処理を許容する第２モードとを切り替えて実行するモード切替手段として、コンピュータを動作させることを特徴としている。そして、本発明に係るコンピュータ読み取り可能な記録媒体は、上記の制御プログラムを記録したコンピュータ読み取り可能な記録媒体である。
【００３４】
本発明に係る画像編集機能付き写真撮影装置の制御方法は、利用者を撮影するとともに、利用者による画像編集入力に基づいて撮影画像に対する画像編集を行う画像編集機能付き写真撮影装置の制御方法であって、上記の課題を解決するために、利用者の撮影及び撮影画像データの生成を撮影装置に対して実行させる撮影処理の終了後に、撮影画像の表示及び画像編集入力の受付を画像編集装置に対して実行させる画像編集処理を実行する間は、次の利用者に対する前記撮影処理を禁止する第１モードと、前記撮影処理の終了後に前記画像編集処理を実行しつつ次の利用者に対する撮影処理を許容する第２モードとを切り替えることを特徴としている。
【発明の効果】
【００３５】
本発明に係る画像編集機能付き写真撮影装置は、利用者を撮影するとともに、利用者による画像編集入力に基づいて撮影画像に対する画像編集を行うものである。この写真撮影装置は、ゲームセンタ等に設置されている写真撮影プリント装置として好適に利用できる。
【００３６】
そして、上記の構成では、利用者を撮影することにより撮影画像データを生成する撮影装置と、撮影画像データに基づいて撮影画像を表示するとともに、表示した画像に対する利用者による画像編集入力を受け付ける画像編集装置とを備えている。
【００３７】
したがって、本写真撮影装置の利用者は、撮影装置による撮影後、画像編集装置によって撮影画像に対して画像編集を施すことができる。本写真撮影装置を上記写真撮影プリント装置として利用した場合、上記画像編集は、一般に「落書き」と呼ばれる行為に該当する。
【００３８】
さらに、上記の構成では、撮影装置に対して利用者の撮影及び撮影画像データの生成を実行させる撮影処理と、画像編集装置に対して撮影画像の表示及び画像編集入力の受付を実行させる画像編集処理とを実行する制御装置を備え、この制御装置は、撮影処理の終了後に画像編集処理を実行する間は次の利用者に対する撮影処理を禁止する第１モードと、撮影処理の終了後に画像編集処理を実行しつつ次の利用者に対する撮影処理を許容する第２モードとを切り替えて実行可能である。
【００３９】
ここで、制御装置が第１モードを実行する場合には、本写真撮影装置における撮影と画像編集とを直列的に実行することになるので、本写真撮影装置における撮影から画像編集までを１人あるいは１組の利用者に占有させる、いわゆる一重接客とすることができる。したがって、第１モードの場合には、利用者に対し、撮影を行ったその場で続けて画像編集をさせることができる。これにより、利用者にとっては、撮影後、画像編集のために移動する必要がなく、移動の煩わしさから開放されるという利点がある。また、本写真撮影装置の設置場所に関しては、撮影のためのスペースとは別に画像編集のためのスペースを設ける必要がなく、占有面積を小さくすることができるという利点がある。
【００４０】
一方、制御装置が第２モードを実行する場合には、本写真撮影装置における撮影と画像編集とを並列的に実行することになるので、先に撮影を済ませた利用者が画像編集装置を用いて画像編集を行うのと並行して、後の利用者が撮影を行う、いわゆる二重接客とすることができる。したがって、第２モードの場合には、上記第１モードの場合と比較して、利用者の回転率を上げることができるという利点がある。
【００４１】
このように、第１モード及び第２モードは、互いに異なる利点を有している。そして、上記の構成では、制御装置が第１モードと第２モードとを切り替えて実行可能であるため、本写真撮影装置の利用状況や設置場所などに応じて適したモードを選択して実行することにより、それぞれの利点を発揮させることができる。このように、本発明に係る画像編集機能付き写真撮影装置では、運用形態を柔軟に変更できる。
【００４２】
本発明に係る画像編集機能付き写真撮影装置は、上記の写真撮影装置において、さらに、撮影装置に面して設けられ、撮影のために利用者が内部に入る撮影ブースを備える。そして、画像編集装置は、撮影画像を表示する表示部と、画像編集入力を受け付ける入力部とを備えるとともに、表示部及び入力部が撮影ブースの内部へ向かう第１配置と、表示部及び入力部が撮影ブースの外部へ向かう第２配置との間で配置の切り替えが可能である。
【００４３】
上記の構成では、制御装置が第１モードを実行する場合に、画像編集装置を第１配置とすることにより、撮影ブースの内部を画像編集のための場所として利用者に提供することができる。これにより、利用者は撮影後、画像編集のために移動しなくてもよくなる。また、制御装置が第２モードを実行する場合に、画像編集装置を第２配置とすることにより、撮影ブースの外部において利用者に画像編集をさせることができる。これにより、先に撮影を済ませて画像編集を行う利用者が、後に撮影する利用者の邪魔にならないようにすることができる。
【００４４】
本発明に係る画像編集機能付き写真撮影装置は、上記の写真撮影装置において、さらに、画像編集装置が第１配置と第２配置との何れの配置をとるかを検知する配置検知部を備える。そして、制御装置は、配置検知部の検知結果に基づき、画像編集装置が第１配置をとる場合には第１モードを実行し、画像編集装置が第２配置をとる場合には第２モードを実行する。
【００４５】
上記の構成では、画像編集装置の配置の変更にともなって、モードの切り替えを自動的に行うことができる。
【００４６】
本発明に係る画像編集機能付き写真撮影装置は、上記の写真撮影装置において、制御装置が、第１モードと第２モードとの切り替えスケジュールを記憶する記憶手段と、この切り替えスケジュールに基づいて切り替えタイミングの経過を認識する切替管理手段と、切り替えタイミングの経過を通知する通知手段とを備える。
【００４７】
したがって、本写真撮影装置の利用状況などを考慮して切り替えスケジュールを予め定め、記憶手段に記憶させておくことができる。そして、その切り替えスケジュールに定められた切り替えタイミングが経過すると、その旨が通知手段によって通知されることになる。通知手段としては、例えば、表示による通知が可能な手段や、音声による通知が可能な手段を用いればよい。これにより、切り替えのタイミングを逃すことを防ぐことができる。
【００４８】
本発明に係る画像編集機能付き写真撮影装置は、上記の写真撮影装置において、さらに、画像編集装置の第１配置と第２配置との切り替えを行う駆動装置を備える。そして、制御装置は、第１モードから第２モードへ、又は第２モードから第１モードへの切り替えに対応して、駆動装置を制御し、画像編集装置を第１配置から第２配置へ、又は第２配置から第１配置へそれぞれ切り替える。
【００４９】
これにより、モードの切り替えに応じて画像編集装置の配置を自動的に切り替えることができるようになる。
【００５０】
本発明に係る画像編集機能付き写真撮影装置は、上記駆動装置を備える写真撮影装置において、さらに、制御装置が、第１モードと第２モードとの切り替えスケジュールを記憶する記憶手段と、この切り替えスケジュールに基づいて第１モードと第２モードとを切り替えるモード切替手段を備えている。
【００５１】
したがって、本写真撮影装置の利用状況などを考慮して切り替えスケジュールを予め定め、記憶手段に記憶させておくことができる。そして、その切り替えスケジュールに基づいて、第１モードと第２モードとが自動的に切り替えられ、切り替えられたモードに対応して、画像編集装置の第１配置と第２配置との切り替えも自動的に切り替えられる。このように、上記の構成では、本写真撮影装置のモードの切り替えや、画像編集装置の配置の切り替えを自動化することができる。
【００５２】
本発明に係る画像編集機能付き写真撮影装置は、上記駆動装置を備える写真撮影装置において、さらに、第１モードと第２モードとの切り替えタイミングを指定するための操作者による操作を受け付けるタイミング指定部を備える。この切り替えタイミングの指定は、例えば、タイミング指定部の操作点からの経過時間や本写真撮影装置の利用回数などによって指定することができる。そして、制御装置は、タイミング指定部に対する操作入力に基づいて第１モードと第２モードとを切り替える。
【００５３】
したがって、操作者の意向に即して切り替えを行うことができるとともに、切り替えタイミングに操作者が立ち会う必要はなくなる。そして、指定した切り替えタイミングに基づいて、第１モードと第２モードとが自動的に切り替えられ、切り替えられたモードに対応して、画像編集装置の第１配置と第２配置との切り替えも自動的に切り替えられる。このように、上記の構成では、本写真撮影装置のモードの切り替えや、画像編集装置の配置の切り替えを、操作者の操作に応じて自動的に行うことができる。
【００５４】
本発明に係る画像編集機能付き写真撮影装置は、上記駆動装置を備える写真撮影装置において、さらに、当該画像編集機能付き写真撮影装置の利用頻度を認識し、その認識結果に基づいて第１モードと第２モードとを切り替えるモード切替手段を備える。
【００５５】
したがって、利用頻度が低く、混雑していないと考えられるような場合には、第１モードに切り替えることにより、撮影後、画像編集のための移動の煩わしさから利用者を開放することができる。また、利用頻度が高く、混雑していると考えられるような場合には、第２モードに切り替えることにより、利用者の回転率を上げることができる。
【００５６】
本発明に係る画像編集機能付き写真撮影装置は、上記の写真撮影装置において、さらに、画像編集装置が第２配置をとる場合の表示部及び入力部に面し、かつ、当該画像編集機能付き写真撮影装置の本体に格納可能に設けられた画像編集ブースを備えることが望ましい。
【００５７】
上記の構成では、画像編集装置が第１配置をとった場合には、画像編集ブースを格納することにより、本写真撮影装置の占有面積を小さくすることができる。
【００５８】
なお、画像編集装置を第１配置と第２配置との間で配置の切り替えが可能とする代わりに、画像編集装置に、撮影画像を表示する表示部と、画像編集入力を受け付ける入力部とを少なくとも２組備え、１組の表示部及び入力部を撮影ブースの内部へ向かって配置し、他の１組の表示部及び入力部を撮影ブースの外部へ向かって配置してもよい。これにより、画像編集装置の配置を変更するための機構を省くことができる。
【００５９】
本発明に係る画像編集機能付き写真撮影装置は、利用者を撮影するとともに、利用者による画像編集入力に基づいて撮影画像に対する画像編集を行うものである。この写真撮影装置は、ゲームセンタ等に設置されている写真撮影プリント装置として好適に利用できる。
【００６０】
そして、上記の構成では、利用者を撮影することにより撮影画像データを生成する撮影装置と、撮影装置に面して設けられ、撮影のために利用者が内部に入る撮影ブースと、撮影画像データに基づく撮影画像を表示する表示部と、表示した画像に対する利用者による画像編集入力を受け付ける入力部とを有する画像編集装置とを備えている。したがって、本写真撮影装置の利用者は、撮影装置による撮影後、画像編集装置によって撮影画像に対して画像編集を施すことができる。本写真撮影装置を上記写真撮影プリント装置として利用した場合、上記画像編集は、一般に「落書き」と呼ばれる行為に該当する。
【００６１】
さらに、上記の構成では、画像編集装置は、表示部及び入力部が撮影ブースの内部へ向かう第１配置と、表示部及び入力部が撮影ブースの外部へ向かう第２配置との間で配置の切り替えが可能である。
【００６２】
上記の構成では、画像編集装置を第１配置とすることにより、撮影ブースの内部を画像編集のための場所として利用者に提供することができる。これにより、利用者は撮影後、画像編集のために移動しなくてもよくなる。また、画像編集装置を第２配置とすることにより、撮影ブースの外部において利用者に画像編集をさせることができる。これにより、先に撮影を済ませて画像編集を行う利用者が、後に撮影する利用者の邪魔にならないようにすることができる。このように、本発明に係る画像編集機能付き写真撮影装置では、運用形態を柔軟に変更できる。
【００６３】
本発明に係る画像編集機能付き写真撮影装置は、上記の写真撮影装置において、さらに、撮影装置及び画像編集装置が組み込まれた筐体を備え、画像編集装置が、筐体に対して回動することにより第１配置と第２配置との間の切り替えができるように筐体に取り付けられている。これにより、第１配置と第２配置との間を、容易に切り替えることができる。
【００６４】
本発明に係る画像編集機能付き写真撮影装置は、上記の写真撮影装置において、さらに、画像編集装置を筐体に対して回動させる駆動装置を備えている。これにより、画像編集装置を自動的に回動させることができる。
【００６５】
なお、本発明は、画像編集機能付き写真撮影装置の制御プログラム、この画像編集機能付き写真撮影装置の制御プログラムを記録したコンピュータ読み取り可能な記録媒体、あるいは、画像編集機能付き写真撮影装置の制御方法として捉えることもできる。これらによっても、上記画像編集機能付き写真撮影装置と同様の効果を奏する。
【発明を実施するための最良の形態】
【００６６】
〔実施形態１〕
本発明の第１の実施形態について図１から図１８に基づいて説明すれば、以下の通りである。
【００６７】
本実施形態では、本発明に係る画像編集機能付き写真撮影装置としての、落書き編集機能付き写真撮影プリント装置（以下、単に「写真撮影プリント装置」という。）について説明する。本実施形態における写真撮影プリント装置は、ゲームセンタ等に設けられ、例えば「プリント倶楽部（登録商標）」の名称で知られている遊戯装置である。この写真撮影プリント装置の利用者は、この写真撮影プリント装置を用いて、利用者自身の写真撮影をし、その撮影画像に対して「落書き」と呼ばれる画像編集を施す。そうすることにより、この写真撮影プリント装置は、画像編集の施された撮影画像をシールシート等にプリントして利用者に提供する。
【００６８】
１．装置構造
図２（ａ）（ｂ）及び図３（ａ）（ｂ）にそれぞれ示す、本実施形態の写真撮影プリント装置１の側面図及び平面図に基づいて、写真撮影プリント装置１の外観構成について説明する。
【００６９】
写真撮影プリント装置１は、主に、筐体２と撮影ブース３とから構成されている。筐体２は、写真撮影プリント装置１の装置本体をなすものである。撮影ブース３は、筐体２に取り付けられたフレーム３ａと、フレーム３ａによって支持されているカーテン３ｂとによって構成されている。この撮影ブース３の内部、つまり、筐体２とカーテン３ｂとによって囲まれた内部空間が撮影室となる。
【００７０】
なお、後述する、図２（ｂ）の落書き編集ブース（画像編集ブース）４は、利用者が落書き編集を行うための立つ位置（作業スペース）であり、周囲の他の利用者から編集中の画面が見えないように、遮蔽・目隠し用カーテンを備えている。
【００７１】
ここで、図４（ａ）（ｂ）にそれぞれ示す筐体２の正面図及び側面図に基づいて、筐体２についてより詳細に説明する。
【００７２】
筐体２の撮影ブース３側の面（正面）には、撮影ブース３内を常時照明する照明灯１１、撮影ブース３内の利用者を動画撮影及び静止画撮影（写真撮影）する撮影用カメラ１２、撮影用カメラ１２の写真撮影時に発光する撮影用フラッシュ１３、写真撮影の前後において撮影用カメラ１２の撮影する動画（映像）をリアルタイムで表示するライブビューモニタ１４、撮影用カメラ１２によって写真撮影された撮影画像を表示して落書き編集を受け付ける落書き編集ユニット１５、撮影用カメラ１２のシャッター操作等を受け付ける操作スイッチ１６、写真撮影プリント装置１の利用料金を投入するためのコイン投入口１７などが設けられている。
【００７３】
また、筐体２の内部には、落書き編集ユニット１５を搭載して回転するターンテーブル１８、ターンテーブル１８を回転させる駆動装置１９、落書き編集の施された撮影画像をシールシートに印刷して出力するプリントユニット２０などが設けられている。さらに、筐体２の側面には、プリントユニット２０のシールシート排出口２０ａなどが設けられている。
【００７４】
また、筐体２の正面に向かって右側の側面には、施錠可能なメンテナンス扉２ａが設けられており、その内部にはメンテナンスボタン２７が設けられている。そして、写真撮影プリント装置１を設置する店舗の店員などの操作者は、施錠を解除してメンテナンス扉２ａを開け、その内部にあるメンテナンスボタン２７を操作することができる。
【００７５】
ここで、落書き編集ユニット１５は、撮影画像を表示する表示部、及び表示した撮影画像に対する落書き編集入力を受け付ける入力部として機能するタッチパネル式液晶ディスプレイ１５ａ（以下、単に「タッチパネル」という。）と、このタッチパネル１５ａに対してペン入力するための落書きペン１５ｂとを備えている。利用者は、タッチパネル１５ａに表示された撮影画像に対し、落書きペン１５ｂを用いることにより、文字や線画などの書き込みを行ったり、予め準備されている「スタンプ」と呼ばれる装飾用画像を選択して貼り付けたりすることができる。
【００７６】
図５（ａ）（ｂ）に、落書き編集ユニット１５及びその周辺機器をより詳細に図示したそれぞれ平面図及び正面図を示す。落書き編集ユニット１５は、上記のように、ターンテーブル１８に搭載されており、筐体２に対して水平面内で１８０°回動することができる。この回動により、落書き編集ユニット１５は、タッチパネル１５ａが筐体２の正面側に位置する配置、つまりタッチパネル１５ａが撮影ブース３の内部へ向かう配置（第１配置、図２（ａ）、図３（ａ）参照）と、タッチパネル１５ａが筐体２の背面側に位置する配置、つまりタッチパネル１５ａが撮影ブース３の外部へ向かう配置（第２配置、図２（ｂ）、図３（ｂ）参照）との間で、配置の切り替えが可能となっている。
【００７７】
この回動は、駆動装置１９によって自動で行う。そのために、ターンテーブル１８の下段外周１８ａには歯が形成されており、この歯が駆動装置１９のピニオン１９ａと歯合し、駆動装置１９からの回転動力がターンテーブル１８に伝達されるようになっている。
【００７８】
あるいは、駆動装置１９を設けない装置構成であってもよく、この場合には、写真撮影プリント装置１を設置する店舗の店員などの操作者によって、手動で落書き編集ユニット１５及びターンテーブル１８を回動させてもよい。
【００７９】
ターンテーブル１８の外周には、凹部１８ｂが２箇所に形成されている。この２つの凹部１８ｂは、ターンテーブル１８の中心から見て互いに１８０°隔たった方向に位置している。また、ターンテーブル１８の外周近傍には、ロック機構２１が設けられている。このロック機構２１は、バネ及びソレノイドの作用によって出入りする固定用爪２１ａを有している。このロック機構２１は、落書き編集ユニット１５が第１又は第２配置にあるときに、固定用爪２１ａが突出して凹部１８ｂに嵌合することにより、ターンテーブル１８を固定する。落書き編集ユニット１５を回動させるときには、ロック機構２１は固定用爪２１ａを引き込むことにより固定を解除する。
【００８０】
ターンテーブル１８の外周近傍の裏面には、配置識別用マーク１８ｃが１箇所に形成されている。この配置識別用マーク１８ｃは、配置検知用センサによって検知可能なものである。配置検知用センサは、例えば、光学的手段や磁気的手段によって、反射面や磁気マークなどからなる配置識別用マーク１８ｃが、対面する位置に存在するか否かを検知するものである。
【００８１】
ターンテーブル１８の中心から見て互いに１８０°隔たった方向、かつ、配置識別用マーク１８ｃに対面し得る位置には、上記の配置検知用センサ２２ａ・２２ｂがそれぞれ配置されている。そして、落書き編集ユニット１５が第１配置にあるときには、配置検知用センサ２２ａが配置識別用マーク１８ｃを検知し、落書き編集ユニット１５が第２配置にあるときには、配置検知用センサ２２ｂが配置識別用マーク１８ｃを検知するようになっている。したがって、配置検知用センサ２２ａ・２２ｂの何れが配置識別用マーク１８ｃを検知しているかによって、落書き編集ユニット１５が第１又は第２配置の何れにあるかを検知できるようになっている。
【００８２】
なお、図５（ｃ）に示すように、落書きペン１５ｂは、落書き編集ユニット１５にコードで接続されており、このコードは、落書き編集ユニット１５内部に巻き取ることができるようになっている。つまり、上記コードは、利用者が落書きペン１５ｂを引っ張ることにより落書き編集ユニット１５外部に引き出され、利用者が落書きペン１５ｂを手放すと、落書き編集ユニット１５に内蔵されたバネによって自動的に巻き取られるようになっている。これにより、落書き編集ユニット１５の回動の際に、落書きペン１５ｂのコードが回動の障害となることを回避することができる。
【００８３】
図２（ａ）（ｂ）及び図３（ａ）（ｂ）に戻って、写真撮影プリント装置１の利用形態について説明する。
【００８４】
写真撮影プリント装置１は、撮影ブース３を、落書き編集のための落書き編集ブースとしても用いる一重接客機としての利用形態（一重接客モード、第１モード）と、撮影ブース３とは別に落書き編集ブースを設ける二重接客機としての利用形態（二重接客モード、第２モード）とを切り替えることができるようになっている。
【００８５】
すなわち、一重接客モードでは、図２（ａ）及び図３（ａ）に示すように、落書き編集ユニット１５は第１配置にあり、タッチパネル１５ａは撮影ブース３の内部に向かっている。
【００８６】
この一重接客モードでは、利用者Ｕ１（単数又は複数）は、撮影ブース３に入って写真撮影を行った後、撮影ブース３内でタッチパネル１５ａの近傍に移動し、タッチパネル１５ａを用いて落書き編集を行う。そして、落書き編集が終わると、利用者Ｕ１は、撮影ブース３から出て、プリントユニット２０における印刷が完了するのを待ち、シールシート排出口２０ａからシールシートを受け取ることにより、写真撮影プリント装置１の利用を終了する。利用者Ｕ１が撮影ブース３から出ると、次の利用者Ｕ２（単数又は複数、図２（ａ）及び図３（ａ）には図示せず）が撮影ブース３に入って、上記利用者Ｕ１と同様に写真撮影および落書き編集を行う。
【００８７】
一方、二重接客モードでは、図２（ｂ）及び図３（ｂ）に示すように、落書き編集ユニット１５は第２配置にあり、タッチパネル１５ａは筐体２の背面に位置し、撮影ブース３の外部に向かっている。
【００８８】
このとき、筐体２の背面側には、落書き編集ブース（画像編集ブース）４が設けられる。落書き編集ブース４は、フレーム４ａと、フレーム４ａによって支持されているカーテン４ｂとによって構成され、筐体２の背面側に立つ利用者の上半身を囲うようになる。フレーム４ａは、フレーム３ａ又は筐体２に対して摺動できるように取り付けられており、フレーム４ａを引き出すことによって落書き編集ブース４が設置され、フレーム４ａを押し込むことによって落書き編集ブース４が格納されるようになっている。
【００８９】
この二重接客モードでは、利用者Ｕ１は、撮影ブース３に入って写真撮影を行った後、撮影ブース３から出て筐体２の背面に回り込んで落書き編集ブース４に入り、落書き編集ブース４内でタッチパネル１５ａを用いて落書き編集を行う。そして、落書き編集が終わると、利用者Ｕ１は、落書き編集ブース４から出て、プリントユニット２０における印刷が完了するのを待ち、シールシート排出口２０ａからシールシートを受け取ることにより、写真撮影プリント装置１の利用を終了する。利用者Ｕ１が撮影ブース３から出ると、利用者Ｕ１の落書き編集の終了を待つことなく、次の利用者Ｕ２が撮影ブース３に入って、上記利用者Ｕ１と同様に写真撮影を行う。
【００９０】
図６のタイミングチャートにおいて、一重接客モードと二重接客モードとを比較する。一重接客モードでは、写真撮影と落書き編集とを順に繰り返して行うのに対し、二重接客モードでは、利用者Ｕ１の落書き編集と、利用者Ｕ２の写真撮影とを並行して行うことになる。したがって、二重接客モードでは、一重接客モードに対し、利用者の回転率を大幅に向上させることができる。そこで、二重接客モードでは、写真撮影及び落書き編集それぞれに許容する最大時間を延長し、利用者の満足度の向上を図ることができる。例えば、一重接客モードでは、写真撮影及び落書き編集をそれぞれ２分と定め、二重接客モードでは、写真撮影及び落書き編集をそれぞれ２分３０秒と定めることができる。図６に示すように、一重接客モードと二重接客モードとで利用者Ｕ１が同時に利用開始したとすると、二重接客の場合は一重接客に比べ、写真撮影・落書き編集時間をそれぞれ３０秒ずつ延長しているにも関わらず、利用者Ｕ３の利用終了が２分早くなる。すなわち、単位時間当たりの利用可能組数（利用者の回転率）が向上する。
【００９１】
次に、上記写真撮影プリント装置１の変形例について説明する。図７に、筐体２の一変形例としての筐体５２の正面図を示す。なお、筐体５２に関し、筐体２と同一の構成及び機能を有する部材については、図７において同一符号を付記し、その説明を省略する。
【００９２】
筐体２では、落書き編集ユニット１５を水平面内で回動させたが、筐体５２では、落書き編集ユニット５５を鉛直面内で１８０°回動させる。そのために、筐体５２の内部には、筐体５２の正面に平行、かつ、水平に延在する回動軸５３が設けられ、この回動軸５３を駆動装置５９によって回動できるようになっている。また、筐体５２においても、筐体２と同様、ロック機構や配置検知用センサなどが設けられる。
【００９３】
図８（ａ）（ｂ）に、筐体２の他の変形例としての筐体６２の正面図を示す。なお、筐体６２に関し、筐体２と同一の構成及び機能を有する部材については、図８（ａ）（ｂ）において同一符号を付記し、その説明を省略する。
【００９４】
筐体６２は、落書き編集ユニット１５の代わりに、２つの落書き編集ユニット６５を備えている。各落書き編集ユニット６５は、ヒンジ６８によって筐体６２に取り付けられており、筐体６２に対して水平面内で９０°回動できるようになっている。これにより、一重接客モードでは、各落書き編集ユニット６５のタッチパネル１５ａが筐体６２の正面を向き（図８（ａ））、二重接客モードでは、各落書き編集ユニット６５のタッチパネル１５ａが筐体６２の側面を向く（図８（ｂ））ようになっている。
【００９５】
また、筐体６２では、プリントユニット２０もシールシート排出口２０ａの向きを変えるようになっていてもよい。すなわち、プリントユニット２０がターンテーブル６３に搭載されて９０°回動できるようになっており、一重接客モードではシールシート排出口２０ａが正面を向き（図８（ａ））、二重接客モードではシールシート排出口２０ａが側面を向く（図８（ｂ））ようになっていてもよい。
【００９６】
この筐体６２においても、筐体２と同様、落書き編集ユニット６５のロック機構や配置検知用センサなどが設けられ、さらに、プリントユニット２０を搭載するターンテーブル６３のロック機構や配置検知用センサが設けられていてもよい。また、筐体６２では落書き編集ユニット６５を２つ備えているが、プリントユニット２０から遠い方の落書き編集ユニット６５、つまり、図８（ａ）（ｂ）において左側の落書き編集ユニット６５を省き、落書き編集ユニット６５を１つ備える構成としてもよい。
【００９７】
なお、図９（ａ）（ｂ）に示すように、筐体６２において、一方の落書き編集ユニット６５を固定式としてもよい。この場合、二重接客時において、撮影ブース３においても落書き編集を行うことができる。これにより、先の利用者の落書き編集が終了するよりも前に、後の利用者が写真撮影を終了したような場合の待ち時間において、後の利用者は撮影ブース３内で落書き編集を行うことができるようになる。
【００９８】
図１０（ａ）（ｂ）及び図１１（ａ）（ｂ）に、筐体６２の他の変形例としての筐体７２の正面図・側面図を示す。なお、筐体７２に関し、筐体６２と同一の構成及び機能を有する部材については、図１０（ａ）（ｂ）及び図１１（ａ）（ｂ）において同一符号を付記し、その説明を省略する。
【００９９】
筐体７２は、２つの落書き編集ユニット６５の代わりに、１つの落書き編集ユニット７５を備えている。落書き編集ユニット７５は、ヒンジ７８によって筐体７２に取り付けられており、筐体７２に対して水平面内で１８０°回動できるようになっている。これにより、一重接客モードでは、落書き編集ユニット７５のタッチパネル１５ａが撮影ブース３の内部に向かい（図１０（ａ）（ｂ））、二重接客モードでは、落書き編集ユニット７５のタッチパネル１５ａが筐体７２の外部に向かう（図１１（ａ）（ｂ））ようになっている。
【０１００】
この筐体７２においても、筐体６２と同様、落書き編集ユニット７５のロック機構や配置検知用センサなどが設けられている。また、筐体７２では落書き編集ユニット７５を１つ備えているが、筐体６２と同様、落書き編集ユニット７５を左右に２つ備える構成としてもよい。
【０１０１】
以上のように、写真撮影プリント装置１では、落書き編集ユニット１５の配置が、タッチパネル１５ａが撮影ブース３の内部へ向かう第１配置と、タッチパネル１５ａが撮影ブース３の外部へ向かう第２配置との間で配置の切り替えが可能である。
【０１０２】
この構成では、落書き編集ユニット１５を第１配置とすることにより、撮影ブース３の内部を落書き編集のための場所として利用者に提供することができる。これにより、利用者は撮影後、落書き編集のために移動しなくてもよくなる。また、落書き編集ユニット１５を第２配置とすることにより、撮影ブース３の外部において利用者に落書き編集をさせることができる。これにより、先に撮影を済ませて落書き編集を行う利用者が、後に撮影する利用者の邪魔にならないようにすることができる。このように、写真撮影プリント装置１では、運用形態を柔軟に変更できる。
【０１０３】
これまでは、落書き編集ユニットを回動させることにより、タッチパネルが撮影ブースの内部へ向かう第１配置と、外部へ向かう第２配置とを切り替えることができる構成について説明したが、図１２に示す筐体８２のように、タッチパネル１５ａ及び落書きペン（図示せず）を筐体８２の正面及び背面にそれぞれ備える落書き編集ユニット８５を設けるようにしてもよい。この場合、筐体８２の外観構成を変更することなく、後述するように、撮影用カメラ１２や落書き編集ユニット８５の動作を制御することによって、一重接客モードと、二重接客モードとを切り替えるようにすればよい。
【０１０４】
２．制御及び処理
次に、図１のブロック図に基づいて、本実施形態の写真撮影プリント装置１ａの制御及び処理について説明する。なお、写真撮影プリント装置１ａは、図２から図５に示した写真撮影プリント装置１を前提としつつ、駆動装置１９を備えておらず、落書き編集ユニット１５の回動を手動で行うものである。
【０１０５】
図２から図５には図示していないが、筐体２の内部には、写真撮影プリント装置１ａの各部を制御する制御装置２３が備わっている。制御装置２３は、例えば、パーソナルコンピュータなどのコンピュータによって構成されており、ＬＳＩなどによって構成される中央処理装置、ＲＡＭなどによって構成される主記憶装置、ハードディスクなどによって構成される外部記憶装置２６などを備えている。
【０１０６】
制御装置２３では、外部記憶装置２６から読み出された制御プログラムが主記憶装置上において中央処理装置によって実行されることにより、写真撮影処理部２４ａ、落書き編集処理部２４ｂ、印刷処理部２４ｃ、モード切替処理部２４ｄなどの機能ブロックを有する制御部２４が構成される。この制御プログラムは、外部記憶装置２６にインストールされている。この制御プログラムを制御装置２３に供給するには、例えば、ＣＤ−ＲＯＭなどのリムーバブルメディアから読み出すようにしてもよく、制御装置２３がインターネットなどの通信ネットワークに接続されている場合には、この通信ネットワークを介してダウンロードするようにしてもよい。
【０１０７】
また、主記憶装置は、後述する運用モードフラグや他の種々のフラグなどを記憶するための記憶部（記憶手段）２５としても機能する。
【０１０８】
制御部２４は、撮影用カメラ１２、撮影用フラッシュ１３、ライブビューモニタ１４、タッチパネル１５ａ、操作スイッチ１６、課金装置１７ａ、プリンタ２０ｂ、ＩＤタグリーダ／ライタ２０ｃ、ロック機構２１、配置検知用センサ２２、メンテナンスボタン２７などを制御する。具体的な制御内容は次の通りである。
【０１０９】
制御部２４は、課金装置１７ａに対して所定金額のコインがコイン投入口１７（図４（ａ）参照）から課金装置１７ａに対して投入されたか否かを確認し、投入されたことが確認された場合には、一連のゲームを開始する。
【０１１０】
制御部２４の写真撮影処理部２４ａは、写真撮影に関連する処理（写真撮影処理、撮影処理）を実行する。写真撮影処理では、まず、写真撮影処理部２４ａが、スチルカメラやビデオカメラなどによって構成される撮影用カメラ（撮影装置）１２に動画撮影させ、その映像をライブビューモニタ１４に表示させる。撮影ブース３内の利用者は、ライブビューモニタ１４に表示される映像を見ながらポーズをとり、ポーズが決まると、操作スイッチ１６を押下する。操作スイッチ１６が押下されると、操作スイッチ１６から写真撮影処理部２４ａに対しスイッチオン信号が送られる。写真撮影処理部２４ａは、スイッチオン信号を受け取ると、撮影用フラッシュ１３に対し、撮影用フラッシュ１３を発光させるための発光信号を送るとともに、撮影用カメラ１２に対し、静止画撮影を実行させるための撮影信号を送る。撮影用フラッシュ１３は、発光信号を受け取って瞬間的に発光する。撮影用カメラ１２は、撮影信号を受け取ると、静止画撮影を実行して、撮影画像データを生成し、これを写真撮影処理部２４ａに対して送る。写真撮影処理部２４ａは、撮影用カメラ１２からの撮影画像データを受け取り、外部記憶装置２６に記憶する。
【０１１１】
なお、写真撮影処理部２４ａは、写真撮影処理において、必要に応じて、ライブビューモニタ１４に対し案内表示などの各種画面を表示させる。
【０１１２】
また、制御部２４の落書き編集処理部２４ｂは、落書き編集に関連する処理（落書き編集処理、画像編集処理）を実行する。写真撮影処理では、まず、落書き編集処理部２４ｂが、外部記憶装置２６から撮影画像データを読み出し、その撮影画像データを落書き編集ユニット（画像編集装置）１５のタッチパネル（表示部、操作部）１５ａに送って、撮影画像を表示させる。そして、タッチパネル１５ａに対する落書き編集入力（画像編集入力）を受け付ける。タッチパネル１５ａに撮影画像が表示されると、利用者は、落書きペン１５ｂ（図４（ａ）参照）を用いてタッチパネル１５ａに対して文字や線画の書き込みなどを行う。タッチパネル１５ａは、この書き込みに応じた編集信号を生成し、落書き編集処理部２４ｂに送る。落書き編集処理部２４ｂは、タッチパネル１５ａからの編集信号を受け取り、その編集信号に基づいて上記書き込みに応じた文字や線画などを撮影画像に合成し、合成後の画像である編集画像を示す編集画像データを生成し、外部記憶装置２６に記憶する。
【０１１３】
なお、落書き編集処理部２４ｂは、落書き編集処理において、必要に応じて、タッチパネル１５ａに対し案内表示などの各種画面を表示させる。
【０１１４】
また、制御部２４の印刷処理部２４ｃは、印刷に関連する処理（印刷処理）を実行する。印刷処理では、印刷処理部２４ｃが、外部記憶装置２６から編集画像データを読み出し、その編集画像データをプリントユニット２０のプリンタ２０ｂに送って、編集画像をシールシートに印刷させる。プリンタ２０ｂでは、編集画像を印刷したシールシートをシールシート排出口２０ａ（図２（ｂ））から排出する。
【０１１５】
なお、プリントユニット２０は、ＩＤタグリーダ／ライタ（識別情報読み取り手段）２０ｃを備えており、ＩＤタグ（識別媒体）に記録されている各種識別情報を読み出して印刷処理部２４ｃに出力する。ＩＤタグは、メモリ機能を有するＩＣチップなどによって構成されるものである。印刷処理部２４ｃは、ＩＤタグリーダ／ライタ２０ｃで読み取った識別情報に基づいて、プリンタ２０ｂに装着されたシールシート及びインクフィルムが、当該写真撮影プリント装置１ａにおいて利用可能なものであるかを判定し、利用可能である場合にのみプリンタ２０ｂを動作可能とする。すなわち、写真撮影プリント装置１ａにおいて指定されているシールシート及びインクフィルム以外は使用できないように設定されていることになる。
【０１１６】
また、制御装置２３のモード切替処理部２４ｄは、一重接客モードと、二重接客モードとの切り替え処理（モード切替処理）を実行する。モード切替処理では、モード切替処理部２４ｄが、図５（ａ）に示した配置検知用センサ２２ａ・２２ｂからの検知信号に基づいて、落書き編集ユニット１５が第１及び第２配置のいずれにあるかを検知する。なお、配置検知用センサ２２ａ・２２ｂを総称する場合は、配置検知用センサ（配置検知部）２２と称する。そして、モード切替処理部２４ｄは、落書き編集ユニット１５が第１配置にある場合は、記憶部２５の記憶する運用モードフラグを「一重接客モード」に設定する。この場合、写真撮影処理部２４ａと落書き編集処理部２４ｂとは、写真撮影処理の終了後に落書き編集処理を実行する。そして、モード切替処理部２４ｄは、落書き編集ユニット１５が第２配置にある場合は、記憶部２５の記憶する運用モードフラグを「二重接客モード」に設定する。この場合、写真撮影処理部２４ａと落書き編集処理部２４ｂとは、写真撮影処理と落書き編集処理とを並行して実行する。
【０１１７】
また、モード切替処理部２４ｄは、メンテナンスボタン２７が押下されると、メンテナンスモードに移行し、ロック機構２１を解除して落書き編集ユニット１５を回動可能な状態とする。そして、再度メンテナンスボタン２７が押下されると、メンテナンスモードを終了し、ロック機構２１をロック状態にし、上記のように配置検知用センサ２２による配置の検知を行う。なお、メンテナンスボタン２７は、図４に示すように、筐体２内部に設置されており、写真撮影プリント装置１ａを設置する店舗の店員などの操作者が、落書き編集ユニット１５の回動などのメンテナンスの際に押下するボタンである。
【０１１８】
次に、図１３から図１５のフローチャート、並びに、図１６及び図１７の状態遷移図に基づいて、処理の流れについて説明する。なお、図１６及び図１７の状態遷移図は、それぞれ一重接客モード（撮影ブースで落書き編集ブースを兼用）及び二重接客モード（撮影ブースと落書き編集ブースが異なる）における、ライブビューモニタ１４とタッチパネル１５ａとに表示される画面の状態遷移を示している。
【０１１９】
まず、図１３に基づいて写真撮影処理に関連する処理の流れについて説明する。写真撮影プリント装置１ａは、電源投入後、一重接客・二重接客判定処理を行い（Ｓ１）、ライブビューモニタ１４にデモ画面（一重接客モードの場合図１６のＡ−１ａ，二重接客モードの場合図１７のＡ−１）を表示する（Ｓ２）。そして、課金装置１７ａにコインが投入されたか否かを判定し（Ｓ３）、投入されていない場合はＳ１及びＳ２を繰り返す。
【０１２０】
ここで、図１５に基づいて、図１３に示した一重接客・二重接客判定処理（Ｓ１）について、より詳細に説明する。まず、メンテナンスモードとなっているか、それ以外のモード（ゲームモード）となっているかを判定し（Ｓ１−１）、メンテナンスモードとなっている場合には、ロック機構２１を解除して落書き編集ユニット１５を回動可能にし（Ｓ１−２）、ライブビューモニタ１４及びタッチパネル１５ａに「しばらく、お待ち下さい」などの表示をする（Ｓ１−３，Ｓ１−４）。なお、メンテナンスモードとゲームモードとの切り替えは、上述したように、操作者によるメンテナンスボタン２７の操作に応じるものである。
【０１２１】
ゲームモードとなると、ロック機構２１をロック状態にして落書き編集ユニット１５を固定し（Ｓ１−５）、配置検知用センサ２２からの検知信号に基づいて、落書き編集ユニット１５の配置（接客面方向）を認識する（Ｓ１−６）。そして、認識した配置に応じて（Ｓ１−７）、落書き編集ユニット１５が第１配置にある場合、すなわち、撮影ブース３方向を向いている場合には、運用モードフラグを一重接客モードに設定し（Ｓ１−８）、落書き編集ユニット１５が第２配置にある場合、すなわち、撮影ブース３の外方向を向いている場合には、運用モードフラグを二重接客モードに設定して（Ｓ１−９）、処理を終了する。
【０１２２】
図１３に戻って、Ｓ３においてコインが投入されたと判定すると、撮影ブース３の使用／未使用を示す撮影ブースフラグに、１（使用中）を設定し、運用モードフラグに応じて、撮影制限時間を設定する（Ｓ５，Ｓ６，Ｓ７）。運用モードフラグが一重接客モードである場合には、撮影制限時間として短モード（例えば２分）を設定し、運用モードフラグが二重接客モードである場合には、撮影制限時間として長モード（例えば３分）を設定する。
【０１２３】
そして、撮影制限時間がタイムアウトする、あるいは、利用者によって終了ボタンが押下されるまで、写真撮影を実行する（Ｓ８，Ｓ９，Ｓ１０）。このとき、ライブビューモニタ１４にはライブビュー画面（図１６のＡ−２ａ，または図１７のＡ−２）が表示される。写真撮影処理後、利用者による分割数の選択が行われる（Ｓ１１）。分割数の選択とは、シールシートの印刷面をどのように分割して画像を印刷するかの選択である。このとき、ライブビューモニタ１４には分割選択メニュー画面（図１６のＡ−３ａ，または図１７のＡ−３）が表示される。
【０１２４】
そして、運用モードフラグに応じ（Ｓ１２）、運用モードフラグが一重接客モードである場合には、直ちに撮影画像を落書き編集ユニット１５へ転送し（Ｓ１６）、運用モードフラグが二重接客モードである場合には、落書き編集ブース４の使用／未使用を示す落書きブースフラグを確認し（Ｓ１３）、１（使用中）である場合にはもぐらたたきゲームや撮り直しなどにより利用者に時間つぶしさせ（Ｓ１４）、落書きブースフラグが０（空き）となると、ライブビューモニタ１４に移動案内画面（図１７のＡ−４）を表示して（Ｓ１５）、撮影画像を落書き編集ユニット１５へ転送する（Ｓ１６）。なお、撮影画像は、実際には外部記憶装置２６に保存するが、ここでは、写真撮影処理部２４ａが撮影画像を外部記憶装置２６に保存し、落書き編集処理部２４ｂでの利用を可能とすることを、便宜上「落書き編集処理部への撮影画像転送」と称している。
【０１２５】
そして、運用モードフラグに応じ（Ｓ１７）、運用モードフラグが二重接客モードである場合には、直ちに撮影ブースフラグを０（空き）に設定して（Ｓ２０）処理を終了し、運用モードフラグが一重接客モードである場合には、ライブビューモニタ１４に落書き編集を促す画面（図１６のＢ−５ａ）を表示し（Ｓ１８）、落書きブースフラグが０（空き）となるまで待って（Ｓ１９）、撮影ブースフラグを０（空き）に設定して（Ｓ２０）、処理を終了する。なお、落書きブースフラグは、落書き編集処理の終了時に０（空き）に設定される（図１４のＳ３５参照）。また、一重接客モードの場合、落書きブースフラグは、落書き編集ブースとして使用される撮影ブース３の使用／未使用を示すことになる。
【０１２６】
次に、図１４に基づいて落書き編集処理に関連する処理の流れについて説明する。まず、運用モードフラグ及び撮影ブースフラグを判定し（Ｓ２１，Ｓ２２）、それぞれに応じた画面をタッチパネル１５ａに表示する（Ｓ２３，Ｓ２４，Ｓ２５）。具体的には、二重接客モードである場合はデモ画面（図１７のＢ−１）を表示し（Ｓ２３）、一重接客モードかつ撮影ブースフラグ＝１（使用中）である場合は撮影補助画面など（図１６のＡ−２ｂ，またはＡ−３ｂ）を表示し（Ｓ２４）、一重接客モードかつ撮影ブースフラグ＝０（空き）である場合はデモ画面（図１６のＡ−１ｂ）を表示する（Ｓ２５）。そして、Ｓ２５を実行した場合には直ちにＳ２１からのステップを繰り返し、Ｓ２３，Ｓ２４を実行した場合には撮影画像が到着するまで（Ｓ２６）、Ｓ２１からのステップを繰り返す。なお、撮影画像は、実際には外部記憶装置２６に保存されるが、ここでは、写真撮影処理部２４ａにより撮影画像が外部記憶装置２６に保存され、落書き編集処理部２４ｂに利用可能となることを、便宜上「写真撮影処理部より撮影画像到着」と称している。このとき同時に、タッチパネル１５ａに転送中表示（図１７のＢ−４）を行う。
【０１２７】
そして、落書きブースフラグを１（使用中）に設定し（Ｓ２７）、運用モードフラグに応じて、落書き制限時間を設定する（Ｓ２８，Ｓ２９，Ｓ３０）。運用モードフラグが一重接客モードである場合には、落書き制限時間として短モード（例えば２分）を設定し、運用モードフラグが二重接客モードである場合には、落書き制限時間として長モード（例えば３分）を設定する。
【０１２８】
そして、落書き制限時間がタイムアウトする、あるいは、利用者によって終了ボタンが押下されるまで、落書き編集を実行する（Ｓ３１，Ｓ３２，Ｓ３３）。このとき、タッチパネル１５ａには落書き編集画面（図１６または図１７のＢ−５）が表示される。
【０１２９】
そして、タッチパネル１５ａに移動案内画面（図１６または図１７のＢ−６）を表示し（Ｓ３４）、落書きブースフラグを０（空き）に設定して（Ｓ３５）、印刷処理（Ｓ３６）を実行して、処理を終了する。移動案内画面は、一重接客時には、利用者から見てシール取出口が右側であるため、「右から出るよ」と表示し、二重接客時には、利用者から見てシール取出口が左側であるため、「右から出るよ」と表示する。
【０１３０】
なお、図１８（ａ）（ｂ）に、一重接客モードと二重接客モードとを切り替えるスケジュールの一例を示しておく。このようなスケジュールは、利用者数や利用者層などに応じて決定すればよく、利用者数が多い場合には、二重接客モードに設定して利用者の回転率を高め、利用者数が少ない場合には、一重接客モードに設定して利用者にブース移動の手間をかけさせずに快適なゲームを提供することができる。
【０１３１】
以上のように、写真撮影プリント装置１ａは、撮影用カメラ１２に対して利用者の撮影及び撮影画像データの生成を実行させる写真撮影処理と、落書き編集ユニット１５に対して撮影画像の表示及び画像編集入力の受付を実行させる落書き編集処理とを実行する制御装置２３を備え、この制御装置２３は、写真撮影処理の終了後に落書き編集処理を実行する間は次の利用者に対する写真撮影処理を禁止する一重接客モードと、写真撮影処理の終了後に落書き編集処理を実行しつつ次の利用者に対する写真撮影処理を許容する二重接客モードとを切り替えて実行可能である。
【０１３２】
制御装置２３が一重接客モードを実行する場合には、写真撮影と落書き編集とを直列的に実行することになるので、写真撮影プリント装置１ａにおける写真撮影から落書き編集までを１人あるいは１組の利用者に占有させることができる。したがって、一重接客モードの場合には、利用者に対し、写真撮影を行ったその場で続けて落書き編集をさせることができる。これにより、利用者にとっては、写真撮影後、落書き画像編集のために移動する必要がなく、移動の煩わしさから開放されるという利点がある。また、写真撮影プリント装置１ａの設置場所に関しては、撮影ブース３とは別に落書き編集ブース４を設ける必要がなく、占有面積を小さくすることができるという利点がある。
【０１３３】
一方、制御装置２３が二重接客モードを実行する場合には、写真撮影と落書き編集とを並列的に実行することになるので、先に写真撮影を済ませた利用者が落書き編集ユニット１５を用いて落書き編集を行うのと並行して、後の利用者が写真撮影を行うことができる。したがって、二重接客モードの場合には、上記一重接客モードの場合と比較して、利用者の回転率を上げることができるという利点がある。
【０１３４】
このように、一重接客モード及び二重接客モードは、互いに異なる利点を有している。そして、上記の構成では、制御装置２３が一重接客モードと二重接客モードとを切り替えて実行可能であるため、写真撮影プリント装置１ａの利用状況や設置場所などに応じて適したモードを選択して実行することにより、それぞれの利点を発揮させることができる。このように、写真撮影プリント装置１ａでは、運用形態を柔軟に変更できる。
また、写真撮影プリント装置１ａは、落書き編集ユニット１５が第１配置と第２配置との何れの配置をとるかを検知する配置検知用センサ２２を備える。そして、制御装置２３は、配置検知用センサ２２の検知結果に基づき、落書き編集ユニット１５が第１配置をとる場合には一重接客モードを実行し、落書き編集ユニット１５が第２配置をとる場合には二重接客モードを実行する。これにより、落書き編集ユニット１５の配置の変更にともなって、モードの切り替えを自動的に行うことができる。
【０１３５】
また、メンテナンス時に、タッチパネル表示や音声で、店員（操作者）に対して「落書きブースの引き出し、または、収納」を促すようにしてもよい。
【０１３６】
〔実施形態２〕
本発明の第２の実施形態について図１９から図２８に基づいて説明すれば、以下の通りである。
【０１３７】
図１９のブロック図に基づいて、本実施形態の写真撮影プリント装置１ｂの制御及び処理について説明する。なお、写真撮影プリント装置１ｂは、実施形態１において図２から図５に示した写真撮影プリント装置１を前提としつつ駆動装置１９を備えておらず、落書き編集ユニット１５の回動を手動で行うものである。
【０１３８】
そして、写真撮影プリント装置１ｂの制御部２４は、実施形態１の写真撮影プリント装置１ａの制御部２４に対して、スケジュール管理部２４ｆ、モード切替通知部２４ｅ及び電源管理部２４ｋの機能ブロックが加わった点で異なる。また、写真撮影プリント装置１ｂの記憶部２５は、実施形態１の写真撮影プリント装置１ａの記憶部２５に対して、さらに運用スケジュールを記憶する点で異なる。ここでは、実施形態１の写真撮影プリント装置１ａとは異なる点に限って説明する。
【０１３９】
本実施形態の写真撮影プリント装置１ｂでは、落書き編集ユニット１５の回動によるモードの切り替えは例えば店員などの操作者によって手動で行われるが、切り替えのタイミングを制御装置２３において管理し、そのタイミングをライブビューモニタ１４やタッチパネル１５ａにおいて通知するようになっている。
【０１４０】
そのために、スケジュール管理部２４ｆは、記憶部２５に記憶されている運用スケジュールに基づいて、切り替えタイミングが経過したか否かを認識し、経過している場合には、モード切替通知部２４ｅに対して経過信号を送る。モード切替通知部２４ｅは、スケジュール管理部２４ｆからの経過信号を受けると、ライブビューモニタ１４やタッチパネル１５ａに所定の表示をさせる。さらに、スケジュール管理部２４ｆは、運用スケジュールに基づいて、電源管理部２４ｋを介して装置の電源ＯＦＦさせる。そのために、スケジュール管理部２４ｆは、時計機能やカレンダ機能を備えている。なお、電源管理部２４ｋは、スケジュール管理部２４ｆからの指示に基づき、シャットダウン処理（各処理の終了、必要によりログデータなどの保存処理を含む）を行った上で、装置の電源をＯＦＦさせる。
【０１４１】
記憶部２５に記憶させる運用スケジュールは、例えば、図２０に示すようなものである。すなわち、運用スケジュールは、実行すべき動作（指定動作）と、曜日（平日又は休日）や時刻などに基づく動作のタイミング（指定時刻）とが関連付けられたテーブルである。図２０の例では、実行すべき動作としての、店員の呼び出し（１）、店員の呼び出し（２）、自動電源ＯＦＦを、実行すべきタイミングが曜日ごとの時刻によって定められている。これにより、例えば平日には、図２１（ａ）に示すようなスケジュールでモードの切り替えを行う。なお、店員の呼び出し（１）とは、図２１（ｂ）に示すように、利用客に店員（操作者）を呼びに行かせるための表示であり、店員の呼び出し（２）とは、図２１（ｃ）に示すように、利用客に店員を呼びに行かせるが、そのままゲームの続行も可能とするための表示である。これらの表示を見た利用者が店員を呼び出すことにより、店員は、実施形態１と同様にしてモードを切り替える。
【０１４２】
なお、運用スケジュールは、写真撮影プリント装置１ｂを設置する店舗ごとの利用状況等に適合するように、適宜設定して外部記憶装置２６に保存しておくことができ、動作時に記憶部２５に読み出される。
【０１４３】
このように、写真撮影プリント装置１ｂの制御装置２３は、一重接客モードと二重接客モードとの切り替えスケジュールを記憶する記憶部２５と、この切り替えスケジュールに基づいて切り替えタイミングの経過を認識するスケジュール管理部（切替管理手段）２４ｆと、切り替えタイミングが経過したことを通知するモード切替通知部（通知手段）２４ｅとを備えている。
【０１４４】
図２２から図２６のフローチャート、並びに、図２７及び図２８の状態遷移図に基づいて、処理の流れについて説明する。なお、図２７及び図２８の状態遷移図は、それぞれ一重接客モードから二重接客モードへの切り替え、及び二重接客モードから一重接客モードへの切り替えにおける、ライブビューモニタ１４とタッチパネル１５ａとに表示される画面の状態遷移を示している。
【０１４５】
図２２から図２４は、写真撮影処理に関連する処理の流れを示しているが、これは実施形態１で説明した図１３のＳ１とＳ２との間にＳ４１のステップを追加し、Ｓ４とＳ５との間にＳ４２からＳ５０の各ステップを追加したものである。したがって、ここでは、追加したステップに限って説明する。
【０１４６】
Ｓ４１は、運用予約監視処理であり、その詳細を図２６に示す。この処理では、スケジュール管理部２４ｆが、自己が備える時計機能に基づいて、運用スケジュールに設定されている指定時刻を経過したか否かを判定し（Ｓ４１−１）、経過した場合には、その指定時刻に対応する指定動作を判定する（Ｓ４１−２）。指定動作が自動電源ＯＦＦであれば、ライブビューモニタ１４やタッチパネル１５ａに「まもなく、終了します」などの予告メッセージを表示した後（Ｓ４１−３，Ｓ４１−４）、電源をＯＦＦする（Ｓ４１−５）。また、指定動作が店員呼び出し（１）又は（２）である場合には、予約フラグにその旨を設定する（Ｓ４１−６，Ｓ４１−７）。そして、もとのフローに戻ってＳ２以降のステップを実行する。
【０１４７】
Ｓ４２では、予約フラグを判定し、予約フラグが０（予約なし）の場合には、Ｓ５に移行する。なお、予約フラグ０は、Ｓ４１−１において指定時刻ではないと判定されなかったことに対応している。
【０１４８】
Ｓ４２において、予約フラグが店員呼び出し（１）である場合には、店員呼び出し画面（一重接客の場合、図２７のＸ−１ａ，二重接客の場合、図２８のＸ−３ａ）を表示し（Ｓ４３）、落書き編集ブースが利用中でないことを判断し、メンテナンスボタン２７が押下されるのを待って（Ｓ４４）、切替作業可能画面（図２８のＸ−４ａ）を表示し（Ｓ４５）、再度Ｓ１と同内容の一重接客・二重接客判定処理を実行する（Ｓ４６）。そして、特典付加フラグを１（あり）に設定し（Ｓ４７）、予約フラグを０（なし）に設定して（Ｓ４８）、Ｓ５に移行する。
【０１４９】
Ｓ４２において、予約フラグが店員呼び出し（２）である場合には、店員呼び出し画面（図２７のＸ−１ａ，図２８のＸ−３ａ）を表示し（Ｓ４９）、利用者により再開ボタンが押下されたか否かを判定し（Ｓ５０）、再開ボタンが押下された場合には直ちにＳ５に移行し、押下されなかった場合にはＳ４４へ移行する。再開ボタンの押下とは、二重接客モード時には、操作スイッチ１６によりライブビュー画面上の再開メニューが選択されることに相当し、一重接客モード時には、タッチパネル１５ａ上に表示された再開ボタンが選択されることに相当する。
【０１５０】
このように、予約フラグが店員呼び出し（１）である場合には、無条件にモードの切り替えを促す一方、予約フラグが店員呼び出し（２）である場合には、利用者がモードの切り替えを望まないときには、そのままゲームを続行するようにしている。
【０１５１】
図２５は、落書き編集処理に関連する処理の流れを示しているが、これは実施形態１で説明した図１４のＳ３１とＳ３２との間にＳ５１及びＳ５２の各ステップを追加したものである。したがって、ここでは、追加したステップに限って説明する。
【０１５２】
Ｓ５１では、上記特典付加フラグが１（あり）に設定されているか、０（なし）に設定されているかを判定し（Ｓ５１）、特典付加ありの場合には、通常の落書き編集（Ｓ３２）の代わりに、特典付きの落書き編集（Ｓ５２）を実行する。この特典とは、例えば落書き制限時間の延長や、特別落書きスタンプの提供などであり、利用者が店員を呼んでくれた代償として利用者に供与するサービスである。
【０１５３】
以上のように、写真撮影プリント装置１ｂは、一重接客モードと二重接客モードとの切り替えスケジュールを記憶する記憶部２５と、この切り替えスケジュールに基づいて切り替えタイミングの経過を認識するスケジュール管理部２４ｆと、切り替えタイミングが経過したことを通知するモード切替通知部２４ｅとを備えている。
【０１５４】
これにより、写真撮影プリント装置１ｂの利用状況などを考慮して切り替えスケジュールを予め定め、記憶部２５に記憶させておくことができる。そして、その切り替えスケジュールに定められた切り替えタイミングが経過すると、その旨がモード切替通知部２４ｅによって通知されることになる。これにより、切り替えのタイミングを逃すことを防ぐことができる。
【０１５５】
〔実施形態３〕
本発明の第３の実施形態について図２９から図３８に基づいて説明すれば、以下の通りである。
【０１５６】
図２９のブロック図に基づいて、本実施形態の写真撮影プリント装置１ｃの制御及び処理について説明する。なお、写真撮影プリント装置１ｃは、実施形態１において図２から図５に示した写真撮影プリント装置１を前提としつつ駆動装置１９を備え、落書き編集ユニット１５の回動を自動で行うものである。また、写真撮影プリント装置１ｃでは、メンテナンスボタン２７は省かれている。
【０１５７】
そして、写真撮影プリント装置１ｃの制御部２４は、実施形態２の写真撮影プリント装置１ｂの制御部２４に対して、モード切替処理部２４ｄとは一部機能が異なるモード切替処理部２４ｇ、及びスケジュール管理部２４ｆとは一部機能が異なるスケジュール管理部２４ｈを備え、モード切替通知部２４ｅを省いた点で異なる。また、写真撮影プリント装置１ｃの記憶部２５は、実施形態２の写真撮影プリント装置１ｂの記憶部２５に対して、運用スケジュールに加えて、予約運用モードフラグを記憶している点で異なる。ここでは、実施形態２の写真撮影プリント装置１ｂとは異なる点に限って説明する。
【０１５８】
本実施形態の写真撮影プリント装置１ｃでは、モードの切り替えのタイミングを制御装置２３において管理し、そのタイミングが経過すると、落書き編集ユニット１５を自動的に回動してモードを切り替えるようになっている。
【０１５９】
そのために、スケジュール管理部２４ｈは、記憶部２５に記憶されている運用スケジュールに基づいて、切り替えタイミングが経過したか否かを認識し、経過している場合には、記憶部２５の予約運用モードフラグの設定を変更する。なお、スケジュール管理部２４ｈは、スケジュール管理部２４ｆと同様に、時計機能やカレンダ機能を備え、また、運用スケジュールに基づいて装置を電源ＯＦＦさる。
【０１６０】
モード切替処理部２４ｇは、現行のモードを示す運用モードフラグと、切り替えの予約が設定された予約運用モードフラグとを比較し、これらが不一致の場合に、ロック機構２１や駆動装置１９を動作させて自動的に配置を変更して、予約運用モードフラグに設定されているモードに変更するとともに、運用モードフラグの設定も変更する。なお、モード切替処理部２４ｇは、配置検知用センサ２２からの検知信号に基づいて、落書き編集ユニット１５が第１及び第２配置のいずれにあるかを検知し、その配置と、予約運用モードフラグの内容とが適合しているか否かを判定し、適合していない場合に、上記のようにモードを変更してもよい。
【０１６１】
記憶部２５に記憶させる運用スケジュールは、例えば、図３０に示すようなものである。すなわち、運用スケジュールは、実行すべき動作（指定動作）と、曜日（平日又は休日）や時刻などに基づく動作のタイミング（指定時刻）とが関連付けられたテーブルである。図３０の例では、実行すべき動作としての、一重接客モードへの切り替え、二重接客モードへの切り替え、自動電源ＯＦＦを、実行すべきタイミングが曜日ごとの時刻によって定められている。これにより、例えば平日には、図３１（ａ）に示すようなスケジュールでモードの切り替えを行う。なお、一重接客モードから二重接客モードへの切り替え、及びその逆の切り替えの際には、それぞれ図３１（ｂ）（ｃ）のような表示がライブビューモニタ１４やタッチパネル１５ａに表示される。
【０１６２】
このように、写真撮影プリント装置１ｃは、落書き編集ユニット１５の第１配置と第２配置との切り替えを行う駆動装置１９を備え、写真撮影プリント装置１ｃの制御装置２３は、一重接客モードから二重接客モードへ、又は二重接客モードから一重接客モードへの切り替えに対応して、駆動装置１９を制御し、落書き編集ユニット１５を第１配置から第２配置へ、又は第２配置から第１配置へそれぞれ切り替える。そのために、制御装置２３は、一重接客モードと二重接客モードとの切り替えスケジュールを記憶する記憶部２５と、この切り替えスケジュールに基づいて切り替えタイミングの経過を認識するスケジュール管理部（モード切替手段）２４ｈとを備え、切り替えタイミングが経過すると、モード切替処理部２４ｇが、落書き編集ユニット１５を第１配置から第２配置へ、又は第２配置から第１配置へ切り替える。
【０１６３】
図３２から図３６のフローチャート、並びに、図３７及び図３８の状態遷移図に基づいて、処理の流れについて説明する。なお、図３７及び図３８の状態遷移図は、それぞれ一重接客モードから二重接客モードへの切り替え、及び二重接客モードから一重接客モードへの切り替えにおける、ライブビューモニタ１４とタッチパネル１５ａとに表示される画面の状態遷移を示している。
【０１６４】
図３２から図３４は、写真撮影処理に関連する処理の流れを示しているが、これは実施形態１で説明した図１３のＳ１とＳ２との間にＳ６１のステップを追加し、Ｓ２とＳ３との間にＳ６２からＳ７２の各ステップを追加したものである。したがって、ここでは、追加したステップに限って説明する。
【０１６５】
Ｓ６１は、運用予約監視処理であり、その詳細を図３６に示す。この処理では、スケジュール管理部２４ｈが、自己が備える時計機能に基づいて、運用スケジュールに設定されている指定時刻を経過したか否かを判定し（Ｓ６１−１）、経過した場合には、その指定時刻に対応する指定動作を判定する（Ｓ６１−２）。指定動作が自動電源ＯＦＦであれば、ライブビューモニタ１４やタッチパネル１５ａに「まもなく、終了します」などの予告メッセージを表示した後（Ｓ６１−３，Ｓ６１−４）、電源をＯＦＦする（Ｓ６１−５）。また、指定動作が一重接客モードへの切り替え又は二重接客モードへの切り替えである場合には、予約運用モードフラグに切り替え後のモードを設定する（Ｓ６１−６，Ｓ６１−７）。なお、Ｓ６１−１において指定タイミングではない場合には何もしない。そして、もとのフローに戻ってＳ２以降のステップを実行する。
【０１６６】
Ｓ６２では、運用モードフラグと予約運用モードフラグとを比較し、これらが一致している場合には、そのままＳ３に移行する。
【０１６７】
一方、これらが一致していない場合（Ｓ６２）には、運用モードフラグに設定されているモードを判定し（Ｓ６３）、一重接客モードである場合には、利用者を待たせるための画面（図３７のＸ−２ａ）を表示し（Ｓ６４）、自動変更フラグを１（動作中）に設定し（Ｓ６５）、ロック機構２１や駆動装置１９を動作させて落書き編集ユニット１５を第２配置へ回動させる（Ｓ６６）。回動動作が終了すると、自動変更フラグを０（停止）に設定し（Ｓ６７）、Ｓ３に移行する。Ｓ６３の判定結果が二重接客モードである場合には、利用者を待たせるための画面（Ｘ−５ａ）を表示し（Ｓ６９）、落書きブースフラグが０（空き）になるまで待ち（Ｓ７０）、自動変更フラグを１（動作中）に設定し（Ｓ７１）、ロック機構２１や駆動装置１９を動作させて落書き編集ユニット１５を第１配置へ回動させる（Ｓ７２）。回動動作が終了すると、自動変更フラグを０（停止）に設定し（Ｓ６７）、一重接客二重接客判定処理で運用モードフラグを更新し(Ｓ６８）、Ｓ３に移行する。
【０１６８】
図３５は、落書き編集処理に関連する処理の流れを示しているが、これは実施形態１で説明した図１４のＳ３６の後にＳ７３及びＳ７４の各ステップを追加したものである。Ｓ７３では、上記自動変更フラグが０（停止）である場合には直ちに終了するが、自動変更フラグが１（動作中）である場合には、０（停止）になるまで利用者を待たせるための画面（図３７のＸ−２ｂ、または図３８のＸ−６ｂ）を表示する（Ｓ７４）。
【０１６９】
以上のように、写真撮影プリント装置１ｃは、落書き編集ユニット１５の第１配置と第２配置との切り替えを行う駆動装置１９をさらに備え、制御装置２３は、一重接客モードから二重接客モードへ、又は二重接客モードから一重接客モードへの切り替えに対応して、駆動装置１９を制御し、落書き編集ユニット１５を第１配置から第２配置へ、又は第２配置から第１配置へそれぞれ切り替える。これにより、モードの切り替えに応じて落書き編集ユニット１５の配置を自動的に切り替えることができるようになる。
【０１７０】
また、写真撮影プリント装置１ｃでは、駆動装置１９が、一重接客モードと二重接客モードとの切り替えスケジュールを記憶する記憶部２５と、この切り替えスケジュールに基づいて一重接客モードと二重接客モードとを切り替えるスケジュール管理部２４ｈを備えている。
【０１７１】
したがって、写真撮影プリント装置１ｃの利用状況などを考慮して切り替えスケジュールを予め定め、記憶部２５に記憶させておくことができる。そして、その切り替えスケジュールに基づいて、一重接客モードと二重接客モードとが自動的に切り替えられ、切り替えられたモードに対応して、落書き編集ユニット１５の第１配置と第２配置との切り替えも自動的に切り替えられる。このように、写真撮影プリント装置１ｃでは、モードの切り替えや、落書き編集ユニット１５の配置の切り替えを自動化することができる。
【０１７２】
〔実施形態４〕
本発明の第４の実施形態について図３９に基づいて説明すれば、以下の通りである。
【０１７３】
図３９のブロック図に基づいて、本実施形態の写真撮影プリント装置１ｄの制御及び処理について説明する。なお、写真撮影プリント装置１ｄは、実施形態１において図２から図５に示した写真撮影プリント装置１を前提としつつ駆動装置１９を備え、落書き編集ユニット１５の回動を自動で行うものである。また、写真撮影プリント装置１ｄは、図２から図５には図示していないが、筐体２のあまり目立たない箇所に設置された鍵で操作する切替スイッチ２８を備えている。あるいは、鍵で開けるメンテナンス扉の内側に押しボタンを設けるようにしてもよい。
【０１７４】
そして、写真撮影プリント装置１ｄの制御部２４は、実施形態３の写真撮影プリント装置１ｃの制御部２４に対して、スケジュール管理部２４ｈとは一部機能が異なるスケジュール管理部２４ｉを備えている点、及び電源管理部２４ｋについては備えていない点で異なる。
【０１７５】
本実施形態の写真撮影プリント装置１ｄでは、店員（操作者）がその時点における利用者数や利用者層を確認し、その店員の判断においてモードの変更を可能とするものである。ただし、実施形態１や２のように店員が手動でモードを切り替えるのではなく、切替スイッチ２８を操作して切り替えのタイミングを、所定時間後（例えば、１０分後）や所定ゲーム回数後（例えば、２ゲーム後）に指定し、その内容に基づいてスケジュール管理部２４ｉが記憶部２５の運用スケジュールを設定する。これにより、店員はモード切り替えに立ち会わなくてもよくなる。
【０１７６】
そのために、切替スイッチ２８は、一重接客モードと二重接客モードとの切り替えタイミングを指定するための操作者による操作を受け付ける。例えば、切替スイッチ２８は、回転式のスイッチからなり、このスイッチが右へｍ回繰り返して捻られるとｍ分後の切り替えを指定する指定信号をスケジュール管理部２４ｉに対して送り、左へｎ回繰り返して捻られるとｎゲーム後の切り替えを指定する指定信号をスケジュール管理部２４ｉに対して送るようになっている。
【０１７７】
また、スケジュール管理部２４ｉは、切替スイッチ２８からの指定信号を受け、その内容に基づいて運用スケジュールを設定する。そして、スケジュール管理部２４ｉは、記憶部２５に記憶されている運用スケジュールに基づいて、切り替えタイミングが経過したか否かを認識し、経過している場合には、記憶部２５の予約運用モードフラグの設定を変更する。なお、スケジュール管理部２４ｉは、時計機能やカレンダ機能に加えて、ゲーム回数をカウントするカウント機能を備える。
【０１７８】
このように、写真撮影プリント装置１ｄは、一重接客モードと二重接客モードとの切り替えタイミングを指定するための操作者による操作を受け付ける切替スイッチ（タイミング指定部）２８を備え、制御装置２３は、切替スイッチ２８に対する操作入力に基づいて一重接客モードと二重接客モードとを切り替える。
【０１７９】
なお、写真撮影プリント装置１ｄにおける処理の流れ等は、写真撮影プリント装置１ｃの処理の流れ等に準じたものであるので、ここでは説明を省略する。
【０１８０】
以上のように、写真撮影プリント装置１ｄは、一重接客モードと二重接客モードとの切り替えタイミングを指定するための操作者による操作を受け付ける切替スイッチ２８をさらに備え、制御装置２３は、切替スイッチ２８に対する操作入力に基づいて一重接客モードと二重接客モードとを切り替える。
【０１８１】
したがって、操作者の意向に即して切り替えを行うことができるとともに、切り替えタイミングに操作者が立ち会う必要はなくなる。そして、指定した切り替えタイミングに基づいて、一重接客モードと二重接客モードとが自動的に切り替えられ、切り替えられたモードに対応して、落書き編集ユニット１５の第１配置と第２配置との切り替えも自動的に切り替えられる。このように、写真撮影プリント装置１ｄでは、モードの切り替えや、落書き編集ユニット１５の配置の切り替えを、操作者の操作に応じて自動的に行うことができる。
【０１８２】
〔実施形態５〕
本発明の第５の実施形態について図４０から図４３に基づいて説明すれば、以下の通りである。
【０１８３】
図４０のブロック図に基づいて、本実施形態の写真撮影プリント装置１ｅの制御及び処理について説明する。なお、写真撮影プリント装置１ｄは、実施形態１において図２から図５に示した写真撮影プリント装置１を前提としつつ駆動装置１９を備え、落書き編集ユニット１５の回動を自動で行うものである。
【０１８４】
そして、写真撮影プリント装置１ｅの制御部２４は、実施形態３の写真撮影プリント装置１ｃの制御部２４に対して、スケジュール管理部２４ｈとは一部機能が異なるスケジュール管理部２４ｊを備える点で異なる。
【０１８５】
本実施形態の写真撮影プリント装置１ｅでは、モードの切り替えのタイミングを制御装置２３において管理し、そのタイミングが経過すると、落書き編集ユニット１５を自動的に回動してモードを切り替えるようになっている点において実施形態３の写真撮影プリント装置１ｃと類似するが、モードの切り替えの際に、写真撮影プリント装置１ｅの利用状況を把握し、その利用状況に応じてモードの切り替えを変更する点が異なっている。
【０１８６】
そのために、スケジュール管理部２４ｊは、写真撮影プリント装置１ｅの利用頻度を認識し、その認識結果に基づいて一重接客モードと二重接客モードとを切り替える。写真撮影プリント装置１ｅの利用頻度は、例えば、写真撮影処理部２４ａ及び落書き編集処理部２４ｂの一方又は両方の動作頻度に基づいて認識することができる。あるいは、課金装置１７ａが課金処理を行う頻度に基づいて上記利用頻度を認識してもよい。そして、スケジュール管理部２４ｊは、記憶部２５に記憶されている運用スケジュールに基づいて、切り替えタイミングが経過したか否かを認識し、経過している場合には、さらに、認識した利用頻度に基づいて、記憶部２５の予約運用モードフラグの設定を変更する。なお、スケジュール管理部２４ｊは、スケジュール管理部２４ｈと同様に、時計機能やカレンダ機能を備え、また、運用スケジュールに基づいて装置を電源ＯＦＦさせる。
【０１８７】
記憶部２５に記憶させる運用スケジュールは、例えば、図４１に示すようなものである。すなわち、運用スケジュールは、実行すべき動作（指定動作）と、曜日（平日又は休日）や時刻などに基づく動作のタイミング（指定時刻）とが関連付けられたテーブルである。図４１の例では、実行すべき動作としての、一重接客モードへの切り替え、二重接客モードへの切り替え、自動電源ＯＦＦを、実行すべきタイミングが曜日ごとの時刻によって定められている。なお、一重接客モードへの切り替え、及び二重接客モードへの切り替えについては、上記利用頻度の判定（混雑判定）を行った上で、切り替えを行う。混雑度の判定基準としては、写真撮影プリント装置１ｅが利用されていない時間（アイドル時間、具体的には、図３４のＳ２０（撮影ブース←０）から図３２のＳ４（撮影ブース←１）までの時間）の長さの平均を用い、図４１の場合は、この基準を１００秒と定めて、記憶部２５に記憶させている。
【０１８８】
この場合、平日の１４：００になると、例えば、その時点の直近３回のアイドル時間の平均が１００秒未満であれば、一重接客モードから二重接客モードへ切り替えるものとし、１００秒以上であれば、所定時間周期で上記の判定を繰り返し、最初に１００秒未満になったタイミングにおいて、一重接客モードから二重接客モードへ切り替える。また、平日の２０：００になると、例えば、その時点の直近３回のアイドル時間の平均が１００秒以上であれば、二重接客モードから一重接客モードへ切り替えるものとし、１００秒未満であれば、所定時間周期で上記の判定を繰り返し、最初に１００秒以上になったタイミングにおいて、二重接客モードから一重接客モードへ切り替える。
【０１８９】
混雑判定の具体例を挙げると次の通りである。利用者Ａ、利用者Ｂ、利用者Ｃがこの順で写真撮影プリント装置１ｅを利用したものとし、利用者Ａと利用者Ｂとの間のアイドル時間が１００秒、利用者Ｂと利用者Ｃとの間のアイドル時間が１００秒であり、利用者Ｃの利用が終了したとする。そして、利用者Ｃの利用終了から次の利用者Ｄの利用開始までの経過時間が０秒であった場合、平均アイドル時間＝（１００＋１００＋０）／３＝６６．６７秒であることから、「混雑時間帯」と判定する。利用者Ｃの利用終了から次の利用者Ｄの利用開始までの経過時間が７０秒であった場合、平均アイドル時間＝（１００＋１００＋７０）／３＝９０秒であることから「混雑時間帯」と判定する。利用者Ｃの利用終了から次の利用者Ｄの利用開始までの経過時間が１００秒であった場合、平均アイドル時間＝（１００＋１００＋１００）／３＝１００秒であることから、「通常時間帯」（混雑時間帯ではない）と判定する。これにより、例えば平日には、図４２に示すようなスケジュールでモードの切り替えを行う。
【０１９０】
そのために、実施形態３における図３６の運用予約監視処理に代えて、図４３のフローチャートに示す運用予約監視処理を行う。すなわち、Ｓ６１−２において指定動作が一重接客モードへの切り替えである場合には、平均アイドル時間が１００秒未満であれば（Ｓ８１）、予約運用モードフラグの切り替えを行わず、平均アイドル時間が１００秒以上であれば（Ｓ８１）、予約運用モードフラグを一重接客モードへ切り替える（Ｓ６１−６）。また、Ｓ６１−２において指定動作が二重接客モードへの切り替えである場合には、平均アイドル時間が１００秒以上であれば（Ｓ８２）、予約運用モードフラグの切り替えを行わず、平均アイドル時間が１００秒未満であれば（Ｓ８２）、予約運用モードフラグを二重接客モードへ切り替える（Ｓ６１−７）。
【０１９１】
このように、写真撮影プリント装置１ｅは、当該写真撮影プリント装置１ｅの利用頻度を認識し、その認識結果に基づいて一重接客モードと二重接客モードとを切り替えるスケジュール管理部（モード切替手段）２４ｊを備えている。
【０１９２】
以上のように、写真撮影プリント装置１ｅでは、写真撮影プリント装置１ｅの利用頻度を認識し、その認識結果に基づいて一重接客モードと二重接客モードとを切り替えるスケジュール管理部２４ｊを制御装置２３が備える。
【０１９３】
したがって、利用頻度が低く、混雑していないと考えられるような場合には、一重接客モードに切り替えることにより、撮影後、画像編集のための移動の煩わしさから利用者を開放することができる。また、利用頻度が高く、混雑していると考えられるような場合には、二重接客モードに切り替えることにより、利用者の回転率を上げることができる。
【０１９４】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１９５】
本発明は、落書き編集機能付き写真撮影プリント装置として好適に利用可能である。
【図面の簡単な説明】
【０１９６】
【図１】本発明の第１の実施形態に係る写真撮影プリント装置の構成を示すブロック図である。
【図２】（ａ）は本発明の実施の一形態に係る写真撮影プリント装置が一重接客モードとなっているときの側面図であり、（ｂ）は二重接客モードとなっているときの側面図である。
【図３】（ａ）は本発明の実施の一形態に係る写真撮影プリント装置が一重接客モードとなっているときの平面図であり、（ｂ）は二重接客モードとなっているときの平面図である。
【図４】（ａ）及び（ｂ）は、本発明の実施の一形態に係る写真撮影プリント装置の筐体のそれぞれ正面図及び側面図である。
【図５】（ａ）及び（ｂ）は、本発明の実施の一形態に係る写真撮影プリント装置の落書き編集ユニット及びその周辺機器のそれぞれ平面図及び正面図であり、（ｃ）は、落書き編集ユニットにおける落書きペン１５ｂ周辺の部分断面図である。
【図６】一重接客モードと二重接客モードとを比較するためのタイミングチャートである。
【図７】本発明の実施の一形態に係る写真撮影プリント装置の筐体の一変形例を示す正面図である。
【図８】（ａ）及び（ｂ）は、本発明の実施の一形態に係る写真撮影プリント装置の筐体の他の変形例を示す正面図である。
【図９】（ａ）及び（ｂ）は、本発明の実施の一形態に係る写真撮影プリント装置の筐体のさらに他の変形例を示す正面図である。
【図１０】（ａ）は本発明の実施の一形態に係る写真撮影プリント装置の筐体のさらに他の変形例が一重接客モードとなっているときの正面図であり、（ｂ）はその側面図である。
【図１１】（ａ）は図１０（ａ）（ｂ）の変形例が二重接客モードとなっているときの正面図であり、（ｂ）はその側面図である。
【図１２】本発明の実施の一形態に係る写真撮影プリント装置の筐体のさらに他の変形例を示す側面図である。
【図１３】図１の写真撮影プリント装置における処理の流れを示すフローチャートである。
【図１４】図１の写真撮影プリント装置における処理の流れを示すフローチャートである。
【図１５】図１の写真撮影プリント装置における処理の流れを示すフローチャートである。
【図１６】図１の写真撮影プリント装置におけるライブビューモニタ及びタッチパネルに表示される画面の状態遷移図である。
【図１７】図１の写真撮影プリント装置におけるライブビューモニタ及びタッチパネルに表示される画面の状態遷移図である。
【図１８】（ａ）（ｂ）は、図１の写真撮影プリント装置において、一重接客モードと二重接客モードとを切り替えるスケジュールの一例を示す図表である。
【図１９】本発明の第２の実施形態に係る写真撮影プリント装置の構成を示すブロック図である。
【図２０】図１９の写真撮影プリント装置における記憶部に記憶させる運用スケジュールの一例を示す図表である。
【図２１】（ａ）は図１９の写真撮影プリント装置において、一重接客モードと二重接客モードとを切り替えるスケジュールの一例を示す図表であり、（ｂ）及び（ｃ）は図１９の写真撮影プリント装置における表示の一例を示す図面である。
【図２２】図１９の写真撮影プリント装置における処理の流れを示すフローチャートである。
【図２３】図１９の写真撮影プリント装置における処理の流れを示すフローチャートである。
【図２４】図１９の写真撮影プリント装置における処理の流れを示すフローチャートである。
【図２５】図１９の写真撮影プリント装置における処理の流れを示すフローチャートである。
【図２６】図１９の写真撮影プリント装置における処理の流れを示すフローチャートである。
【図２７】図１９の写真撮影プリント装置におけるライブビューモニタ及びタッチパネルに表示される画面の状態遷移図である。
【図２８】図１９の写真撮影プリント装置におけるライブビューモニタ及びタッチパネルに表示される画面の状態遷移図である。
【図２９】本発明の第３の実施形態に係る写真撮影プリント装置の構成を示すブロック図である。
【図３０】図２９の写真撮影プリント装置における記憶部に記憶させる運用スケジュールの一例を示す図表である。
【図３１】（ａ）は図２９の写真撮影プリント装置において、一重接客モードと二重接客モードとを切り替えるスケジュールの一例を示す図表であり、（ｂ）及び（ｃ）は図２９の写真撮影プリント装置における表示の一例を示す図面である。
【図３２】図２９の写真撮影プリント装置における処理の流れを示すフローチャートである。
【図３３】図２９の写真撮影プリント装置における処理の流れを示すフローチャートである。
【図３４】図２９の写真撮影プリント装置における処理の流れを示すフローチャートである。
【図３５】図２９の写真撮影プリント装置における処理の流れを示すフローチャートである。
【図３６】図２９の写真撮影プリント装置における処理の流れを示すフローチャートである。
【図３７】図２９の写真撮影プリント装置におけるライブビューモニタ及びタッチパネルに表示される画面の状態遷移図である。
【図３８】図１９の写真撮影プリント装置におけるライブビューモニタ及びタッチパネルに表示される画面の状態遷移図である。
【図３９】本発明の第４の実施形態に係る写真撮影プリント装置の構成を示すブロック図である。
【図４０】本発明の第５の実施形態に係る写真撮影プリント装置の構成を示すブロック図である。
【図４１】図４０の写真撮影プリント装置における記憶部に記憶させる運用スケジュールの一例を示す図表である。
【図４２】図４０の写真撮影プリント装置において、一重接客モードと二重接客モードとを切り替えるスケジュールの一例を示す図表である。
【図４３】図４０の写真撮影プリント装置における処理の流れを示すフローチャートである。
【符号の説明】
【０１９７】
１，１ａ，１ｂ，１ｃ，１ｄ，１ｅ    写真撮影プリント装置（画像編集機能付き写真撮影装置）
２    筐体
３    撮影ブース
４    落書き編集ブース（画像編集ブース）
１２    撮影用カメラ（撮影装置）
１５    落書き編集ユニット（画像編集装置）
１５ａ  タッチパネル（表示部、入力部）
１９    駆動装置
２２    配置検知用センサ（配置検知部）
２３    制御装置
２４ｅ  モード切替通知部（通知手段）
２４ｆ  スケジュール管理部（切替管理手段）
２４ｈ  スケジュール管理部（モード切替手段）
２４ｊ  スケジュール管理部（モード切替手段）
２５    記憶部（記憶手段）
２８    切替スイッチ（タイミング指定部）
【図１】
2005122058.tif 000003
【図２】
2005122058.tif 000004
【図３】
2005122058.tif 000005
【図４】
2005122058.tif 000006
【図５】
2005122058.tif 000007
【図６】
2005122058.tif 000008
【図７】
2005122058.tif 000009
【図８】
2005122058.tif 000010
【図９】
2005122058.tif 000011
【図１０】
2005122058.tif 000012
【図１１】
2005122058.tif 000013
【図１２】
2005122058.tif 000014
【図１３】
2005122058.tif 000015
【図１４】
2005122058.tif 000016
【図１５】
2005122058.tif 000017
【図１６】
2005122058.tif 000018
【図１７】
2005122058.tif 000019
【図１８】
2005122058.tif 000020
【図１９】
2005122058.tif 000021
【図２０】
2005122058.tif 000022
【図２１】
2005122058.tif 000023
【図２２】
2005122058.tif 000024
【図２３】
2005122058.tif 000025
【図２４】
2005122058.tif 000026
【図２５】
2005122058.tif 000027
【図２６】
2005122058.tif 000028
【図２７】
2005122058.tif 000029
【図２８】
2005122058.tif 000030
【図２９】
2005122058.tif 000031
【図３０】
2005122058.tif 000032
【図３１】
2005122058.tif 000033
【図３２】
2005122058.tif 000034
【図３３】
2005122058.tif 000035
【図３４】
2005122058.tif 000036
【図３５】
2005122058.tif 000037
【図３６】
2005122058.tif 000038
【図３７】
2005122058.tif 000039
【図３８】
2005122058.tif 000040
【図３９】
2005122058.tif 000041
【図４０】
2005122058.tif 000042
【図４１】
2005122058.tif 000043
【図４２】
2005122058.tif 000044
【図４３】
2005122058.tif 000045